(57)【要約】【課題】受電部と送電部とが位置ずれしたとしても、電力伝送効率が低下することを抑制する。【解決手段】コア２０の軸部２８における中央磁極部２５よりも巻回部２１の端部側には、外側磁極部２３が設けられる。軸部２８は、第１コイルが周囲に配置される巻回部２１と、第２コイルが周囲に配置される巻回部２２と、巻回部２１および巻回部２２の間に設けられる中央磁極部２５とを含む。第１および第２コイルの巻回軸Ａ２００および対向方向の双方に対して直交する方向において、中央磁極部２５の長さＷ２５は、外側磁極部２３の長さＷ２３よりも短く、かつ、巻回部２１，２２の長さＷ２１，Ｗ２２よりも長い。【選択図】図６
2014131417.tif 000002
【特許請求の範囲】
【請求項１】
送電部のコイルに対向した状態で前記コイルから非接触で電力を受電し、前記コイルに対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備えた受電装置であって、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記交差方向における前記中央磁極部の長さは、前記交差方向における前記外側磁極部の長さよりも短く、かつ、前記交差方向における前記第１巻回部および前記第２巻回部の長さよりも長い、
受電装置。
【請求項２】
送電部のコイルに対向した状態で前記コイルから非接触で電力を受電し、前記コイルに対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備えた受電装置であって、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記中央磁極部のうちの前記交差方向における前記巻回軸から最も離れた部分と前記巻回軸との間の寸法は、前記外側磁極部のうちの前記交差方向における前記巻回軸から最も離れた部分と前記巻回軸との間の寸法よりも小さく、かつ、前記第１巻回部および前記第２巻回部のうちの前記交差方向における前記巻回軸から最も離れた部分と前記巻回軸との間の寸法よりも大きく、
前記中央磁極部のうちの前記交差方向とは反対方向における前記巻回軸から最も離れた部分と前記巻回軸との間の寸法は、前記外側磁極部のうちの前記交差方向とは反対方向における前記巻回軸から最も離れた部分と前記巻回軸との間の寸法よりも小さく、かつ、前記第１巻回部および前記第２巻回部のうちの前記交差方向とは反対方向における前記巻回軸から最も離れた部分と前記巻回軸との間の寸法よりも大きい、
受電装置。
【請求項３】
前記中央磁極部のうちの前記交差方向における前記巻回軸から最も離れた部分は、前記外側磁極部のうちの前記交差方向における前記巻回軸から最も離れた部分に比べて、前記交差方向において前記巻回軸寄りに位置し、
前記中央磁極部のうちの前記交差方向とは反対方向における前記巻回軸から最も離れた部分は、前記外側磁極部のうちの前記交差方向とは反対方向における前記巻回軸から最も離れた部分に比べて、前記交差方向とは反対方向において前記巻回軸寄りに位置する、
請求項１または２に記載の受電装置。
【請求項４】
前記中央磁極部のうちの前記交差方向における前記巻回軸から最も離れた部分と前記巻回軸との間の寸法は、前記第１コイルおよび前記第２コイルのうちの前記交差方向における前記巻回軸から最も離れた部分と前記巻回軸との間の寸法よりも大きく、
前記中央磁極部のうちの前記交差方向とは反対方向における前記巻回軸から最も離れた部分と前記巻回軸との間の寸法は、前記第１コイルおよび前記第２コイルのうちの前記交差方向とは反対方向における前記巻回軸から最も離れた部分と前記巻回軸との間の寸法よりも大きい、
請求項１から３のいずれかに記載の受電装置。
【請求項５】
前記第１コイルおよび前記第２コイルに流れる電流の向きを切り替える切替部をさらに備える、
請求項１から４のいずれかに記載の受電装置。
【請求項６】
受電時における前記送電部の磁束分布が前記第１コイルおよび前記第２コイルに適合する磁束分布となるように、前記送電部に関する情報に基づいて前記切替部を制御する制御部をさらに備える、
請求項５に記載の受電装置。
【請求項７】
前記第１コイルおよび前記第２コイルは、直列接続されている、
請求項１から４のいずれかに記載の受電装置。
【請求項８】
直列接続された前記第１コイルおよび前記第２コイルの両端に並列に接続されたコンデンサをさらに備える、
請求項７に記載の受電装置。
【請求項９】
前記コンデンサは、静電容量が異なる複数の切替コンデンサの中から電気的な接続が切り替えられることによって選択された１または複数の切替コンデンサ、および／または、静電容量の値を調節可能な可変コンデンサを含む、
請求項８に記載の受電装置。
【請求項１０】
前記巻回軸方向において、前記中央磁極部の長さは、前記外側磁極部の長さよりも長い、
請求項１から９のいずれかに記載の受電装置。
【請求項１１】
前記第１コイルおよび前記第２コイルの前記対向方向における位置を変更し、これらと前記送電部の前記コイルとの間の間隔を調節する調節機構をさらに備える、
請求項１から１０のいずれかに記載の受電装置。
【請求項１２】
受電部のコイルに対向した状態で前記コイルに非接触で電力を送電し、前記コイルに対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備えた送電装置であって、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記交差方向における前記中央磁極部の長さは、前記交差方向における前記外側磁極部の長さよりも短く、かつ、前記交差方向における前記第１巻回部および前記第２巻回部の長さよりも長い、
送電装置。
【請求項１３】
受電部のコイルに対向した状態で前記コイルに非接触で電力を送電し、前記コイルに対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備えた送電装置であって、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記中央磁極部のうちの前記交差方向における前記巻回軸から最も離れた部分と前記巻回軸との間の寸法は、前記外側磁極部のうちの前記交差方向における前記巻回軸から最も離れた部分と前記巻回軸との間の寸法よりも小さく、かつ、前記第１巻回部および前記第２巻回部のうちの前記交差方向における前記巻回軸から最も離れた部分と前記巻回軸との間の寸法よりも大きく、
前記中央磁極部のうちの前記交差方向とは反対方向における前記巻回軸から最も離れた部分と前記巻回軸との間の寸法は、前記外側磁極部のうちの前記交差方向とは反対方向における前記巻回軸から最も離れた部分と前記巻回軸との間の寸法よりも小さく、かつ、前記第１巻回部および前記第２巻回部のうちの前記交差方向とは反対方向における前記巻回軸から最も離れた部分と前記巻回軸との間の寸法よりも大きい、
送電装置。
【請求項１４】
前記中央磁極部のうちの前記交差方向における前記巻回軸から最も離れた部分は、前記外側磁極部のうちの前記交差方向における前記巻回軸から最も離れた部分に比べて、前記交差方向において前記巻回軸寄りに位置し、
前記中央磁極部のうちの前記交差方向とは反対方向における前記巻回軸から最も離れた部分は、前記外側磁極部のうちの前記交差方向とは反対方向における前記巻回軸から最も離れた部分に比べて、前記交差方向とは反対方向において前記巻回軸寄りに位置する、
請求項１２または１３に記載の送電装置。
【請求項１５】
前記中央磁極部のうちの前記交差方向における前記巻回軸から最も離れた部分と前記巻回軸との間の寸法は、前記第１コイルおよび前記第２コイルのうちの前記交差方向における前記巻回軸から最も離れた部分と前記巻回軸との間の寸法よりも大きく、
前記中央磁極部のうちの前記交差方向とは反対方向における前記巻回軸から最も離れた部分と前記巻回軸との間の寸法は、前記第１コイルおよび前記第２コイルのうちの前記交差方向とは反対方向における前記巻回軸から最も離れた部分と前記巻回軸との間の寸法よりも大きい、
請求項１２から１４のいずれかに記載の送電装置。
【請求項１６】
前記第１コイルおよび前記第２コイルに流れる電流の向きを切り替える切替部をさらに備える、
請求項１２から１５のいずれかに記載の送電装置。
【請求項１７】
送電時における前記受電部の磁束分布が前記第１コイルおよび前記第２コイルに適合する磁束分布となるように、前記受電部に関する情報に基づいて前記切替部を制御する制御部をさらに備える、
請求項１６に記載の送電装置。
【請求項１８】
前記第１コイルおよび前記第２コイルは、直列接続されている、
請求項１２から１５のいずれかに記載の送電装置。
【請求項１９】
前記第１コイルおよび前記第２コイルの間でこれらに直列に接続された第１コンデンサと、
前記第１コイルおよび高周波電源の間でこれらに直列に接続された第２コンデンサとをさらに備える、
請求項１８に記載の送電装置。
【請求項２０】
前記第１コンデンサおよび前記第２コンデンサは、静電容量が異なる複数の切替コンデンサの中から電気的な接続が切り替えられることによって選択された１または複数の切替コンデンサ、および／または、静電容量の値を調節可能な可変コンデンサをそれぞれ含む、
請求項１９に記載の送電装置。
【請求項２１】
前記巻回軸方向において、前記中央磁極部の長さは、前記外側磁極部の長さよりも長い、
請求項１２から２０のいずれかに記載の送電装置。
【請求項２２】
受電装置と、
前記受電装置に対向した状態で前記受電装置に非接触で電力を送電する送電装置と、を備えた電力伝送システムであって、
前記受電装置および／または前記送電装置は、
前記受電装置および前記送電装置同士が対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備え、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記交差方向における前記中央磁極部の長さは、前記交差方向における前記外側磁極部の長さよりも短く、かつ、前記交差方向における前記第１巻回部および前記第２巻回部の長さよりも長い、
電力伝送システム。
【請求項２３】
受電装置と、
前記受電装置に対向した状態で前記受電装置に非接触で電力を送電する送電装置と、を備えた電力伝送システムであって、
前記受電装置および／または前記送電装置は、
前記受電装置および前記送電装置同士が対向する方向である対向方向に対して直交する方向に延びる仮想の巻回軸の周囲を取り囲むようにそれぞれ配置される第１コイルおよび第２コイルと、
前記巻回軸が延びる巻回軸方向に延びる軸部、ならびに前記軸部に設けられ前記対向方向および前記巻回軸方向に対して直交する交差方向に延びる外側磁極部を含むコアと、を備え、
前記軸部は、
前記第１コイルが周囲に配置される第１巻回部と、
前記第２コイルが周囲に配置される第２巻回部と、
前記巻回軸方向における前記第１巻回部および前記第２巻回部の間に設けられる中央磁極部と、を有し、
前記外側磁極部は、前記中央磁極部よりも前記第１巻回部の端部側に設けられ、
前記中央磁極部のうちの前記交差方向における前記巻回軸から最も離れた部分と前記巻回軸との間の寸法は、前記外側磁極部のうちの前記交差方向における前記巻回軸から最も離れた部分と前記巻回軸との間の寸法よりも小さく、かつ、前記第１巻回部および前記第２巻回部のうちの前記交差方向における前記巻回軸から最も離れた部分と前記巻回軸との間の寸法よりも大きく、
前記中央磁極部のうちの前記交差方向とは反対方向における前記巻回軸から最も離れた部分と前記巻回軸との間の寸法は、前記外側磁極部のうちの前記交差方向とは反対方向における前記巻回軸から最も離れた部分と前記巻回軸との間の寸法よりも小さく、かつ、前記第１巻回部および前記第２巻回部のうちの前記交差方向とは反対方向における前記巻回軸から最も離れた部分と前記巻回軸との間の寸法よりも大きい、
電力伝送システム。
【発明の詳細な説明】
【技術分野】
【０００１】
本発明は、受電装置、送電装置および電力伝送システムに関する。
【背景技術】
【０００２】
自然環境への配慮から、ハイブリッド車両および電気自動車などの電動車両が着目されている。電動車両は、バッテリなどの電力を用いて駆動輪を駆動させる。近年、プラグなどを用いないで、非接触で電動車両のバッテリを充電可能とするワイヤレス充電が着目されている。
【０００３】
特開２０１１−０５０１２７号公報（特許文献１）は、受電部および送電部を備える非接触電力給電装置を開示している。送電部および受電部は、いずれもＨ形状を有するコアと、コアに装着されたコイルとを含む。同公報は、Ｈ形状を有するコアを用いることによって、非接触給電装置の受電部を小型化および軽量化することができると述べている。
【先行技術文献】
【特許文献】
【０００４】
【特許文献１】特開２０１１−０５０１２７号公報
【発明の概要】
【発明が解決しようとする課題】
【０００５】
２つのコイルが互いに間隔を空けた状態で１つのコアの軸部に巻回されたとする。この場合、コイルの巻回軸方向における軸部の外側の端部には、外側磁極部が形成される。コイルの巻回軸方向における２つのコイルの間には、中央磁極部が形成される。
【０００６】
本発明は、２つのコイル間に形成された中央磁極部を用いて電力を送受電するときに、受電部と送電部とが相対的に位置ずれしたとしても、電力伝送効率が低下することを抑制可能な受電装置、送電装置および電力伝送システムを提供することを目的とする。
【課題を解決するための手段】
【０００７】
本発明のある局面に基づく受電装置は、送電部のコイルに対向した状態で上記コイルから非接触で電力を受電し、上記コイルに対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備えた受電装置であって、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記交差方向における上記中央磁極部の長さは、上記交差方向における上記外側磁極部の長さよりも短く、かつ、上記交差方向における上記第１巻回部および上記第２巻回部の長さよりも長い。
【０００８】
本発明の他の局面に基づく受電装置は、送電部のコイルに対向した状態で上記コイルから非接触で電力を受電し、上記コイルに対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備えた受電装置であって、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記中央磁極部のうちの上記交差方向における上記巻回軸から最も離れた部分と上記巻回軸との間の寸法は、上記外側磁極部のうちの上記交差方向における上記巻回軸から最も離れた部分と上記巻回軸との間の寸法よりも小さく、かつ、上記第１巻回部および上記第２巻回部のうちの上記交差方向における上記巻回軸から最も離れた部分と上記巻回軸との間の寸法よりも大きく、上記中央磁極部のうちの上記交差方向とは反対方向における上記巻回軸から最も離れた部分と上記巻回軸との間の寸法は、上記外側磁極部のうちの上記交差方向とは反対方向における上記巻回軸から最も離れた部分と上記巻回軸との間の寸法よりも小さく、かつ、上記第１巻回部および上記第２巻回部のうちの上記交差方向とは反対方向における上記巻回軸から最も離れた部分と上記巻回軸との間の寸法よりも大きい。
【０００９】
好ましくは、上記中央磁極部のうちの上記交差方向における上記巻回軸から最も離れた部分は、上記外側磁極部のうちの上記交差方向における上記巻回軸から最も離れた部分に比べて、上記交差方向において上記巻回軸寄りに位置し、上記中央磁極部のうちの上記交差方向とは反対方向における上記巻回軸から最も離れた部分は、上記外側磁極部のうちの上記交差方向とは反対方向における上記巻回軸から最も離れた部分に比べて、上記交差方向とは反対方向において上記巻回軸寄りに位置する。
【００１０】
好ましくは、上記中央磁極部のうちの上記交差方向における上記巻回軸から最も離れた部分と上記巻回軸との間の寸法は、上記第１コイルおよび上記第２コイルのうちの上記交差方向における上記巻回軸から最も離れた部分と上記巻回軸との間の寸法よりも大きく、上記中央磁極部のうちの上記交差方向とは反対方向における上記巻回軸から最も離れた部分と上記巻回軸との間の寸法は、上記第１コイルおよび上記第２コイルのうちの上記交差方向とは反対方向における上記巻回軸から最も離れた部分と上記巻回軸との間の寸法よりも大きい。
【００１１】
好ましくは、上記第１コイルおよび上記第２コイルに流れる電流の向きを切り替える切替部をさらに備える。好ましくは、受電時における上記送電部の磁束分布が上記第１コイルおよび上記第２コイルに適合する磁束分布となるように、上記送電部に関する情報に基づいて上記切替部を制御する制御部をさらに備える。好ましくは、上記第１コイルおよび上記第２コイルは、直列接続されている。好ましくは、直列接続された上記第１コイルおよび上記第２コイルの両端に並列に接続されたコンデンサをさらに備える。
【００１２】
好ましくは、上記コンデンサは、静電容量が異なる複数の切替コンデンサの中から電気的な接続が切り替えられることによって選択された１または複数の切替コンデンサ、および／または、静電容量の値を調節可能な可変コンデンサを含む。好ましくは、上記巻回軸方向において、上記中央磁極部の長さは、上記外側磁極部の長さよりも長い。好ましくは、上記第１コイルおよび上記第２コイルの上記対向方向における位置を変更し、これらと上記送電部の上記コイルとの間の間隔を調節する調節機構をさらに備える。
【００１３】
本発明のある局面に基づく送電装置は、受電部のコイルに対向した状態で上記コイルに非接触で電力を送電し、上記コイルに対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備えた送電装置であって、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記交差方向における上記中央磁極部の長さは、上記交差方向における上記外側磁極部の長さよりも短く、かつ、上記交差方向における上記第１巻回部および上記第２巻回部の長さよりも長い。
【００１４】
本発明の他の局面に基づく送電装置は、受電部のコイルに対向した状態で上記コイルに非接触で電力を送電し、上記コイルに対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備えた送電装置であって、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記中央磁極部のうちの上記交差方向における上記巻回軸から最も離れた部分と上記巻回軸との間の寸法は、上記外側磁極部のうちの上記交差方向における上記巻回軸から最も離れた部分と上記巻回軸との間の寸法よりも小さく、かつ、上記第１巻回部および上記第２巻回部のうちの上記交差方向における上記巻回軸から最も離れた部分と上記巻回軸との間の寸法よりも大きく、上記中央磁極部のうちの上記交差方向とは反対方向における上記巻回軸から最も離れた部分と上記巻回軸との間の寸法は、上記外側磁極部のうちの上記交差方向とは反対方向における上記巻回軸から最も離れた部分と上記巻回軸との間の寸法よりも小さく、かつ、上記第１巻回部および上記第２巻回部のうちの上記交差方向とは反対方向における上記巻回軸から最も離れた部分と上記巻回軸との間の寸法よりも大きい。
【００１５】
好ましくは、上記中央磁極部のうちの上記交差方向における上記巻回軸から最も離れた部分は、上記外側磁極部のうちの上記交差方向における上記巻回軸から最も離れた部分に比べて、上記交差方向において上記巻回軸寄りに位置し、上記中央磁極部のうちの上記交差方向とは反対方向における上記巻回軸から最も離れた部分は、上記外側磁極部のうちの上記交差方向とは反対方向における上記巻回軸から最も離れた部分に比べて、上記交差方向とは反対方向において上記巻回軸寄りに位置する。
【００１６】
好ましくは、上記中央磁極部のうちの上記交差方向における上記巻回軸から最も離れた部分と上記巻回軸との間の寸法は、上記第１コイルおよび上記第２コイルのうちの上記交差方向における上記巻回軸から最も離れた部分と上記巻回軸との間の寸法よりも大きく、上記中央磁極部のうちの上記交差方向とは反対方向における上記巻回軸から最も離れた部分と上記巻回軸との間の寸法は、上記第１コイルおよび上記第２コイルのうちの上記交差方向とは反対方向における上記巻回軸から最も離れた部分と上記巻回軸との間の寸法よりも大きい。
【００１７】
好ましくは、上記第１コイルおよび上記第２コイルに流れる電流の向きを切り替える切替部をさらに備える。好ましくは、送電時における上記受電部の磁束分布が上記第１コイルおよび上記第２コイルに適合する磁束分布となるように、上記受電部に関する情報に基づいて上記切替部を制御する制御部をさらに備える。好ましくは、上記第１コイルおよび上記第２コイルは、直列接続されている。好ましくは、上記第１コイルおよび上記第２コイルの間でこれらに直列に接続された第１コンデンサと、上記第１コイルおよび高周波電源の間でこれらに直列に接続された第２コンデンサとをさらに備える。
【００１８】
好ましくは、上記第１コンデンサおよび上記第２コンデンサは、静電容量が異なる複数の切替コンデンサの中から電気的な接続が切り替えられることによって選択された１または複数の切替コンデンサ、および／または、静電容量の値を調節可能な可変コンデンサをそれぞれ含む。好ましくは、上記巻回軸方向において、上記中央磁極部の長さは、上記外側磁極部の長さよりも長い。
【００１９】
本発明のある局面に基づく電力伝送システムは、受電装置と、上記受電装置に対向した状態で上記受電装置に非接触で電力を送電する送電装置と、を備えた電力伝送システムであって、上記受電装置および／または上記送電装置は、上記受電装置および上記送電装置同士が対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備え、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記交差方向における上記中央磁極部の長さは、上記交差方向における上記外側磁極部の長さよりも短く、かつ、上記交差方向における上記第１巻回部および上記第２巻回部の長さよりも長い。
【００２０】
本発明の他の局面に基づく電力伝送システムは、受電装置と、上記受電装置に対向した状態で上記受電装置に非接触で電力を送電する送電装置と、を備えた電力伝送システムであって、上記受電装置および／または上記送電装置は、上記受電装置および上記送電装置同士が対向する方向である対向方向に対して直交する方向に延びる仮想の巻回軸の周囲を取り囲むようにそれぞれ配置される第１コイルおよび第２コイルと、上記巻回軸が延びる巻回軸方向に延びる軸部、ならびに上記軸部に設けられ上記対向方向および上記巻回軸方向に対して直交する交差方向に延びる外側磁極部を含むコアと、を備え、上記軸部は、上記第１コイルが周囲に配置される第１巻回部と、上記第２コイルが周囲に配置される第２巻回部と、上記巻回軸方向における上記第１巻回部および上記第２巻回部の間に設けられる中央磁極部と、を有し、上記外側磁極部は、上記中央磁極部よりも上記第１巻回部の端部側に設けられ、上記中央磁極部のうちの上記交差方向における上記巻回軸から最も離れた部分と上記巻回軸との間の寸法は、上記外側磁極部のうちの上記交差方向における上記巻回軸から最も離れた部分と上記巻回軸との間の寸法よりも小さく、かつ、上記第１巻回部および上記第２巻回部のうちの上記交差方向における上記巻回軸から最も離れた部分と上記巻回軸との間の寸法よりも大きく、上記中央磁極部のうちの上記交差方向とは反対方向における上記巻回軸から最も離れた部分と上記巻回軸との間の寸法は、上記外側磁極部のうちの上記交差方向とは反対方向における上記巻回軸から最も離れた部分と上記巻回軸との間の寸法よりも小さく、かつ、上記第１巻回部および上記第２巻回部のうちの上記交差方向とは反対方向における上記巻回軸から最も離れた部分と上記巻回軸との間の寸法よりも大きい。
【発明の効果】
【００２１】
本発明によれば、２つのコイル間に形成された中央磁極部を用いて電力を送受電するときに、受電部と送電部とが相対的に位置ずれしたとしても、電力伝送効率が低下することを抑制できる。
【図面の簡単な説明】
【００２２】
【図１】実施の形態１における電力伝送システムを模式的に示す図である。
【図２】実施の形態１における電力伝送システムの電動車両を示す左側面図である。
【図３】実施の形態１における電力伝送システムの電動車両を示す底面図である。
【図４】実施の形態１における受電装置の受電部を示す斜視図である。
【図５】実施の形態１における受電装置の受電部に用いられる支持部材を示す斜視図である。
【図６】実施の形態１における受電装置の受電部に用いられるコアを示す平面図である。
【図７】実施の形態１における受電装置の受電部に用いられるコアを示す側面図である。
【図８】実施の形態１における受電装置の受電部に用いられるコアを示す正面図である。
【図９】実施の形態１における受電装置の受電部に用いられるコアの周囲にコイルが配置された状態を示す平面図である。
【図１０】実施の形態１における電力伝送システムの回路構成を示す図である。
【図１１】実施の形態１における電力伝送システムを用いて電力伝送が行なわれている様子を模式的に示す斜視図である。
【図１２】実施の形態１における電力伝送システムを用いて電力伝送が行なわれている時の受電部のコアを示す平面図である。
【図１３】実施の形態１の比較例における電力伝送システムを用いて電力伝送が行なわれている時の受電部のコアを示す平面図である。
【図１４】実施の形態１における電力伝送システム（受電部２００および送電部４００Ａ）を用いて電力伝送が行なわれている様子を模式的に示す斜視図である。
【図１５】実施の形態２における電力伝送システムの回路構成を示す図である。
【図１６】実施の形態２における送電装置の送電部に用いられるコアを示す平面図である。
【図１７】実施の形態２における送電装置の送電部に用いられるコアの周囲にコイルが配置された状態を示す平面図である。
【図１８】実施の形態２における電力伝送システム（受電部２００および送電部４００Ｂ）を用いて電力伝送が行なわれている様子を模式的に示す斜視図である。
【図１９】実施の形態２における電力伝送システム（受電部２００および送電部４００Ｃ）を用いて電力伝送が行なわれている様子を模式的に示す斜視図である。
【図２０】実施の形態２における電力伝送システム（受電部２００および送電部４００Ｄ）を用いて電力伝送が行なわれている様子を模式的に示す斜視図である。
【図２１】実施の形態２における電力伝送システムに適用可能な受電部の変形例を示す斜視図である。
【図２２】動作モードＣで動作した場合の図２１のＸＸＩＩ−ＸＸＩＩの断面図である。
【図２３】動作モードＰで動作した場合の図２１のＸＸＩＩ−ＸＸＩＩの断面図である。
【図２４】コイル３１とコイル３２との接続を切替える第１構成例を示す回路図である。
【図２５】コイル３１とコイル３２との接続を切替える第２構成例を示す回路図である。
【図２６】コイル３１とコイル３２との接続を切替える第３構成例を示す回路図である。
【図２７】実験例に関するコイルユニット３００Ａを示す平面図である。
【図２８】実験例に関するコイルユニット３００Ｂを示す平面図である。
【図２９】実験例に関するコイルユニット３００Ｃを示す平面図である。
【図３０】実験例に関するコイルユニット３００Ｄを示す平面図である。
【図３１】実験例１〜４の結果を示す図である。
【図３２】実験例５〜８の結果を示す図である。
【発明を実施するための形態】
【００２３】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００２４】
［実施の形態１］
（電力伝送システム１０００）
図１は、実施の形態１における電力伝送システム１０００、受電装置１１および送電装置６０を模式的に示す図である。図１を参照して、電力伝送システム１０００は、外部給電装置６１および電動車両１０を備える。
【００２５】
（外部給電装置６１）
外部給電装置６１は、送電装置６０、高周波電力ドライバ６４、および制御部としての送電ＥＣＵ６５を含む。高周波電力ドライバ６４は、交流電源６３に接続される。交流電源６３は、商用電源であっても、独立電源装置であってもよい。送電装置６０は、高周波電力ドライバ６４に接続される。送電ＥＣＵ６５は、高周波電力ドライバ６４などの駆動を制御する。
【００２６】
送電装置６０は、送電部４００を含み、駐車スペース６２に設けられる。送電部４００は、フェライト製のコア４０、コイル５１（１次コイル）およびキャパシタ５３（コンデンサ）を有する。コイル５１は、高周波電力ドライバ６４に接続される。キャパシタ５３は、コイル５１に接続される。キャパシタ５３は、必須の構成ではなく、必要に応じて用いられるとよい。
【００２７】
コア４０およびコイル５１は、いわゆる円型コイルタイプ（Circular  Coil  Type）のコイルユニットを構成している。磁束は、いわゆるドーナツ型の形状を有しており、円形状を有するコア４０の中央部分を通過する。ここで言う中央部分とは、コア４０の外形円の中心付近であって、コイル５１が存在せずに中空となっている部分である。コイル５１は、浮遊容量を有する。送電部４００においては、コイル５１のインダクタンスと、コイル５１の浮遊容量およびキャパシタ５３のキャパシタンスとによって電気回路が形成される。
【００２８】
（電動車両１０）
電動車両１０は、図示しないエンジンおよび燃料電池を備え、ハイブリッド車両として機能する。電動車両１０は、モータにより駆動される車両であれば、燃料電池車両として機能するものであってもよい。電動車両１０は、モータにより駆動される車両であれば、電気自動車として機能するものであってもよい。本実施の形態においては、受電対象が車両であるが、受電対象は車両以外のものであってもよい。
【００２９】
電動車両１０は、受電装置１１、車両ＥＣＵ１２（Electronic  Control  Unit）、整流器１３、ＤＣ／ＤＣコンバータ１４、バッテリ１５、パワーコントロールユニット１６（Power  Control  Unit）およびモータユニット１７を含む。
【００３０】
受電装置１１は、電動車両１０が駐車スペース６２の所定位置に停車し、送電装置６０に対向した状態で、送電装置６０から電力を受電する。駐車スペース６２には、電動車両１０を所定位置に停車させるために、輪止６２Ｓならびに駐車位置および駐車範囲を示すライン（図示せず）が設けられている。
【００３１】
受電装置１１は、受電部２００を含む。受電部２００は、フェライト製のコア２０、コイル３１，３２（２次コイル）およびキャパシタ３３を有する。コイル３１，３２は、コア２０の外周面を取り囲むように配置され、整流器１３に接続される。キャパシタ３３は、コイル３１，３２に接続される。キャパシタ３３は、必須の構成ではなく、必要に応じて用いられるとよい。
【００３２】
コイル３１，３２は、浮遊容量を有する。受電部２００においては、コイル３１，３２のインダクタンスと、コイル３１，３２の浮遊容量およびキャパシタ３３のキャパシタンスとによって電気回路が形成される。コア２０およびコイル３１，３２等のさらなる詳細については、図４〜図８を参照して後述する。
【００３３】
ＤＣ／ＤＣコンバータ１４は、整流器１３に接続される。整流器１３は、受電装置１１から供給される交流電流を直流電流に変換して、ＤＣ／ＤＣコンバータ１４に供給する。バッテリ１５は、ＤＣ／ＤＣコンバータ１４に接続される。ＤＣ／ＤＣコンバータ１４は、整流器１３から供給された直流電流の電圧を調整して、バッテリ１５に供給する。
【００３４】
車両ＥＣＵ１２は、ＤＣ／ＤＣコンバータ１４およびパワーコントロールユニット１６などの駆動を制御する。ＤＣ／ＤＣコンバータ１４は、必須の構成ではなく、必要に応じて用いられるとよい。ＤＣ／ＤＣコンバータ１４が用いられない場合には、外部給電装置６１（詳細は後述する）の送電装置６０と高周波電力ドライバ６４との間に整合器を設けるとよい。この整合器は、インピーダンスを整合し、ＤＣ／ＤＣコンバータ１４を代用することができる。
【００３５】
パワーコントロールユニット１６は、バッテリ１５に接続される。モータユニット１７は、パワーコントロールユニット１６に接続される。パワーコントロールユニット１６は、バッテリ１５に接続された図示しないコンバータと、このコンバータに接続された図示しないインバータとを含む。
【００３６】
コンバータは、バッテリ１５から供給される直流電流を調整（昇圧）してインバータに供給する。インバータは、コンバータから供給される直流電流を交流電流に変換してモータユニット１７に供給する。モータユニット１７は、発電機として機能するモータジェネレータと、電動機として機能するモータジェネレータとを含む。モータユニット１７としては、たとえば三相交流モータを用いることができる。モータユニット１７は、パワーコントロールユニット１６のインバータから供給された交流電流によって駆動する。
【００３７】
図２は、電動車両１０を示す左側面図である。図２を参照して、電動車両１０は、車両本体７０および車輪をさらに備える。車両本体７０の内部には、駆動室８０、乗員収容室８１および荷物室８２が設けられる。駆動室８０の中には、図１に示すモータユニット１７および図示しないエンジンなどが収容される。乗員収容室８１は、電動車両１０の進行方向において、駆動室８０よりも後方側に位置する。荷物室８２は、電動車両１０の進行方向において、乗員収容室８１よりも後方側に位置する。
【００３８】
車両本体７０の左側面７１には、乗降用開口部８２Ｌ、ドア８３Ｌ、フロントフェンダ８４Ｌ、フロントバンパ８６、リヤフェンダ８５Ｌおよびリヤバンパ８７が設けられる。乗降用開口部８２Ｌは、乗員収容室８１に連通する。ドア８３Ｌは、乗降用開口部８２Ｌを開閉する。フロントフェンダ８４Ｌは、電動車両１０の進行方向において、乗降用開口部８２Ｌよりも前方側に位置する。
【００３９】
フロントバンパ８６は、電動車両１０の進行方向において、フロントフェンダ８４Ｌよりも前方側に位置する。リヤフェンダ８５Ｌは、電動車両１０の進行方向において、乗降用開口部８２Ｌよりも後方側に位置する。リヤバンパ８７は、電動車両１０の進行方向において、リヤフェンダ８５Ｌよりも後方側に位置する。車両本体７０の右側面（図示せず）は、車両本体７０の左側面７１と同様の構成を有する。
【００４０】
図３は、電動車両１０を示す底面図である。図３を参照して、電動車両１０は、底面７６を有する。電動車両１０の底面７６とは、電動車両１０の車輪（タイヤ）が地面と接地した状態において、地面に対して鉛直方向下方に離れた位置から電動車両１０を見たときに、電動車両１０のうちの視認可能な領域である。電動車両１０は、電動車両１０の幅方向に配列する前輪１８Ｒ，１８Ｌと、電動車両１０の幅方向に配列する後輪１９Ｒ，１９Ｌとを含む。電動車両１０の進行方向において、前輪１８Ｒ，１８Ｌは、後輪１９Ｒ，１９Ｌよりも前方側に位置している。電動車両１０においては、前輪１８Ｒ，１８Ｌが駆動輪を構成していてもよいし、後輪１９Ｒ，１９Ｌが駆動輪を構成していてもよいし、前輪および後輪の双方が駆動輪を構成していてもよい。
【００４１】
電動車両１０の底面７６には、フロアパネル６９、サイドメンバ６７およびクロスメンバが設けられる。フロアパネル６９は、電動車両１０の内部と電動車両１０の外部とを区画する。サイドメンバ６７は、フロアパネル６９の下面に配置される。クロスメンバは、フロアパネル６９の下面に配置される。本実施の形態における受電装置１１は、ケース６６の中に収容された状態で電動車両１０の底面７６に設けられ、後輪１９Ｒおよび後輪１９Ｌの間に配置される。受電装置１１の近傍には、バッテリ１５が配置される。
【００４２】
受電装置１１を電動車両１０の底面７６に固定するためには、各種の方法を採用することができる。たとえば、受電装置１１をサイドメンバ６７またはクロスメンバから懸架することにより、受電装置１１を電動車両１０の底面７６に固定することができる。受電装置１１は、フロアパネル６９に固定されてもよい。
【００４３】
（受電部２００）
図４は、受電装置１１（図１参照）の受電部２００を示す斜視図である。受電装置１１の受電部２００は、整流器１３（図１参照）等とともに、ケース６６（図３参照）の中に収容される。受電部２００は、フェライト製のコア２０、第１コイルとしてのコイル３１、第２コイルとしてのコイル３２、およびキャパシタ３３（図１参照）を有する。
【００４４】
コア２０は、軸部２８および外側磁極部２３，２４を含む。軸部２８は、コイル３１，３２の巻回軸Ａ２００が延びる方向に沿って延びる形状を有する。本実施の形態においては、コイル３１，３２の巻回軸Ａ２００は、直線状に延びる形状を有する。コイル３１，３２の巻回軸Ａ２００は、対向方向（図１中における矢印Ｚ方向）に対して直交する方向に延びている。ここで言う対向方向とは、コイル３１，３２が送電部４００（図１参照）側のコイル５１（図１参照）に対向する方向である。本実施の形態における対向方向は、駐車スペース６２（図１参照）の表面（地面）に対して垂直な方向であり、巻回軸Ａ２００は、駐車スペース６２（図１参照）の表面（地面）に対して平行な方向に延びている。コイル３１，３２は、巻回軸Ａ２００の周囲を取り囲むように形成される。
【００４５】
ここで言うコイル３１の巻回軸Ａ２００は、たとえば、コイル３１の長さ方向における一方の端部からコイル３１の長さ方向における他方の端部にわたってコイル３１を単位長さに区分したとき、その単位長さ毎のコイル３１の曲率中心点またはその曲率中心点の近傍を通る線を描くことで形成される。単位長さ毎のコイル３１の曲率中心点から仮想線である巻回軸Ａ２００を導く方法としては、線形近似、対数近似、および多項式近似などの各種近似方法が挙げられる。コイル３２の巻回軸Ａ２００についても同様であり、本実施の形態においては、コイル３１の巻回軸とコイル３２の巻回軸とは、巻回軸Ａ２００として略同一の直線を形成している。
【００４６】
軸部２８は、第１巻回部としての巻回部２１、第２巻回部としての巻回部２２、および中央磁極部２５を有する。本実施の形態においては、支持部材２６，２７を用いて、コイル３１，３２および巻回部２１，２２が固定される。
【００４７】
図５は、支持部材２６を示す斜視図である。支持部材２６は、板状部２６Ａ，２６Ｂおよび筒状部２６Ｃを有する。板状部２６Ａ，２６Ｂは、板状の形状を有し、コイル３１の巻回軸Ａ２００に対して直交する方向に延びるように配置される。本実施の形態の板状部２６Ａ，２６Ｂは、矩形状の外形を有し、コイル３１の巻回軸Ａ２００に対して直交する方向に延びるように配置される。板状部２６Ａおよび板状部２６Ｂは、巻回軸Ａ２００の延びる方向において間隔を空けて互いに対向するように配置される。
【００４８】
板状部２６Ａには、矩形状の内周形状を有する開口部２６ＡＨが設けられる。板状部２６Ｂには、矩形状の内周形状を有する開口部２６ＢＨが設けられる。筒状部２６Ｃは、中空状の形状を有する。本実施の形態の筒状部２６Ｃは、角筒状の形状を有し、板状部２６Ａと板状部２６Ｂとの間を接続するように設けられる。板状部２６Ａの開口部２６ＡＨと板状部２６Ｂの開口部２６ＢＨとは、筒状部２６Ｃの内部を通して連通している。
【００４９】
第１巻回部としての巻回部２１は、板状の形状を有するフェライト２１Ａ，２１Ｂ，２１Ｃが積層されることによって構成され、筒状部２６Ｃの内部に差し込まれている。本実施の形態の巻回部２１は、複数のフェライトから構成されるが、巻回部２１は、単一のフェライトから構成されていてもよい。コイル３１は、筒状部２６Ｃの周囲に巻回される。
【００５０】
コイル３１が筒状部２６Ｃの周囲に巻回された状態では、コイル３１は巻回部２１の周囲に配置される。コイル３１は、巻回軸Ａ２００が延びる方向における一方の端部から他方の端部に向かうにつれて、巻回軸Ａ２００の延びる方向に変位するように形成されている。コイル３１の巻回軸Ａ２００方向への位置ずれは、板状部２６Ａによって防止される。コイル３１の巻回軸Ａ２００方向の反対方向への位置ずれは、板状部２６Ｂによって防止される。
【００５１】
図５中の括弧付きで示される参照符号は、支持部材２７に対応する。本実施の形態では、支持部材２７は支持部材２６と同一の形状を有する。支持部材２７は、板状部２７Ａ，２７Ｂおよび筒状部２７Ｃを有する。板状部２７Ａ，２７Ｂは、板状の形状を有し、コイル３２の巻回軸Ａ２００に対して直交する方向に延びるように配置される。本実施の形態の板状部２７Ａ，２７Ｂは、矩形状の外形を有し、コイル３２の巻回軸Ａ２００に対して直交する方向に延びるように配置される。板状部２７Ａおよび板状部２７Ｂは、巻回軸Ａ２００の延びる方向において間隔を空けて互いに対向するように配置される。
【００５２】
板状部２７Ａには、矩形状の内周形状を有する開口部２７ＡＨが設けられる。板状部２７Ｂには、矩形状の内周形状を有する開口部２７ＢＨが設けられる。筒状部２７Ｃは、中空状の形状を有する。本実施の形態の筒状部２７Ｃは、角筒状の形状を有し、板状部２７Ａと板状部２７Ｂとの間を接続するように設けられる。板状部２７Ａの開口部２７ＡＨと板状部２７Ｂの開口部２７ＢＨとは、筒状部２７Ｃの内部を通して連通している。
【００５３】
第２巻回部としての巻回部２２は、板状の形状を有するフェライト２２Ａ，２２Ｂ，２２Ｃが積層されることによって構成され、筒状部２７Ｃの内部に差し込まれている。本実施の形態の巻回部２２は、複数のフェライトから構成されるが、巻回部２２は、単一のフェライトから構成されていてもよい。コイル３２は、筒状部２７Ｃの周囲に巻回される。
【００５４】
コイル３２が筒状部２７Ｃの周囲に巻回された状態では、コイル３２は巻回部２２の周囲に配置される。コイル３２は、巻回軸Ａ２００が延びる方向における一方の端部から他方の端部に向かうにつれて、巻回軸Ａ２００の延びる方向に変位するように形成されている。コイル３２の巻回軸Ａ２００方向への位置ずれは、板状部２７Ａによって防止される。コイル３２の巻回軸Ａ２００方向の反対方向への位置ずれは、板状部２７Ｂによって防止される。
【００５５】
図４を再び参照して、コア２０の中央磁極部２５は、フェライトおよびこのフェライトを固定する図示しない固定部材を有する。中央磁極部２５は、巻回軸Ａ２００が延びる方向における支持部材２６および支持部材２７の間に設けられる。中央磁極部２５のフェライトは、巻回軸Ａ２００が延びる方向における巻回部２１および巻回部２２の間に配置される。中央磁極部２５に用いられるフェライトは、全体として直方体状の形状を有する。中央磁極部２５に用いられるフェライトも、複数の部材から構成されていてもよいし、単一の部材から構成されていてもよい。
【００５６】
コア２０の外側磁極部２３は、巻回軸Ａ２００が延びる方向において、軸部２８のうちの中央磁極部２５よりも巻回部２１の端部側に設けられる。本実施の形態における外側磁極部２３は、巻回軸Ａ２００が延びる方向における軸部２８の一方の端部に設けられる。外側磁極部２３は、板状に形成され、フェライトおよびこのフェライトを固定する図示しない固定部材を有する。外側磁極部２３は、矩形状の外形を有し、交差方向Ｂ２００に沿って延びる形状を有する。ここで言う交差方向Ｂ２００とは、コイル３１，３２およびコイル５１（図１参照）同士が対向する方向である対向方向（図１中のＺ方向）、ならびに巻回軸Ａ２００が延びる方向の双方に対して直交する方向である。外側磁極部２３に用いられるフェライトも、複数の部材から構成されていてもよいし、単一の部材から構成されていてもよい。
【００５７】
コア２０の外側磁極部２４は、巻回軸Ａ２００が延びる方向において、軸部２８のうちの中央磁極部２５よりも巻回部２２の端部側に設けられる。本実施の形態における外側磁極部２４は、巻回軸Ａ２００が延びる方向における軸部２８の他方の端部に設けられる。外側磁極部２４は、板状に形成され、フェライトおよびこのフェライトを固定する図示しない固定部材を有する。外側磁極部２４も、矩形状の外形を有し、交差方向Ｂ２００に沿って延びる形状を有する。ここで言う交差方向Ｂ２００とは、コイル３１，３２およびコイル５１（図１参照）同士が対向する方向である対向方向（図１中のＺ方向）、ならびに巻回軸Ａ２００が延びる方向の双方に対して直交する方向である。外側磁極部２４に用いられるフェライトも、複数の部材から構成されていてもよいし、単一の部材から構成されていてもよい。
【００５８】
図６は、コア２０を示す平面図である。図７は、コア２０を示す側面図である。図８は、コア２０を示す正面図である。説明上の便宜のため、図６〜図８においては、コア２０にコイル３１，３２（図４参照）が巻回されていない状態が図示されている。図示上の便宜のため、図８紙面内における上方向は、送電部４００（図１参照）から送電部４００に対向する受電部２００側に向かう方向（下方向）に相当している。換言すると、図８紙面内における上下方向は、図１紙面内における上下方向とは一致していない。
【００５９】
図８にのみ図示されているが、受電部２００の上方側（図８紙面内における下方側）には、シールド２９が配置される。ここで言う受電部２００の上方側とは、送電部４００（図１参照）から送電部４００に対向する受電部２００側に向かう方向を含む。シールド２９の厚さは、たとえば１ｍｍである。
【００６０】
（中央磁極部２５）
図６を主として参照して、巻回軸Ａ２００および対向方向（図１中のＺ方向）の双方に対して直交する交差方向Ｂ２００において、中央磁極部２５は長さＷ２５を有する。本実施の形態の中央磁極部２５は、交差方向Ｂ２００が延びる方向の前方側に外縁２５Ｓを有し、交差方向Ｂ２００の反対方向Ｃ２００が延びる方向の前方側に外縁２５Ｔを有する。
【００６１】
本実施の形態の外縁２５Ｓ，２５Ｔは、上方から下方に向かって（図６紙面に対して垂直な方向に）延びる平面状の形状を有する。ここで言う上方とは、送電部４００（図１参照）から送電部４００に対向する受電部２００側に向かう方向を含む。ここで言う下方とは、受電部２００から受電部２００に対向する送電部４００（図１参照）側に向かう方向を含む。
【００６２】
巻回軸Ａ２００が延びる方向および交差方向Ｂ２００が延びる方向の双方に対して直交する方向から受電部２００を見た場合（図６に示すように受電部２００を平面視した場合）、本実施の形態の外縁２５Ｓ，２５Ｔは、巻回軸Ａ２００に対して平行な位置関係にある。本実施の形態の長さＷ２５は、外縁２５Ｓと外縁２５Ｔとの間の寸法であり、巻回軸Ａ２００が延びる方向の任意の位置において同一の値を有する。換言すると、本実施の形態の中央磁極部２５は、交差方向Ｂ２００における長さＷ２５が、巻回軸Ａ２００が延びる方向の任意の位置において同一の値となる形状を有している。
【００６３】
本実施の形態においては、中央磁極部２５の外縁２５Ｓが、中央磁極部２５のうちの交差方向Ｂ２００が延びる方向における巻回軸Ａ２００から最も離れた部分に相当している。交差方向Ｂ２００における外縁２５Ｓと巻回軸Ａ２００との間の寸法Ｗ２５Ｓは、巻回軸Ａ２００が延びる方向の任意の位置において同一の値を有している。
【００６４】
本実施の形態においては、中央磁極部２５の外縁２５Ｔが、中央磁極部２５のうちの交差方向Ｂ２００の反対方向Ｃ２００が延びる方向における巻回軸Ａ２００から最も離れた部分に相当している。反対方向Ｃ２００における外縁２５Ｔと巻回軸Ａ２００との間の寸法Ｗ２５Ｔは、巻回軸Ａ２００が延びる方向の任意の位置において同一の値を有している。
【００６５】
本実施の形態においては、寸法Ｗ２５Ｓおよび寸法Ｗ２５Ｔは同一の値を有し、長さＷ２５の値は、寸法Ｗ２５Ｓおよび寸法Ｗ２５Ｔの和に等しい。外縁２５Ｓおよび外縁２５Ｔが互いに平行でない場合、中央磁極部２５の長さＷ２５は、たとえば巻回軸Ａ２００方向の任意の位置における中央磁極部２５の単位長さ当たりの長さＷ２５の平均値として算出されることができる。図７に示すように、本実施の形態における中央磁極部２５は、巻回軸Ａ２００が延びる方向において長さＬ２５を有している。
【００６６】
（巻回部２１）
巻回軸Ａ２００および対向方向（図１中のＺ方向）の双方に対して直交する交差方向Ｂ２００において、巻回部２１は長さＷ２１を有する。本実施の形態の巻回部２１は、交差方向Ｂ２００が延びる方向の前方側に外縁２１Ｓを有し、交差方向Ｂ２００の反対方向Ｃ２００が延びる方向の前方側に外縁２１Ｔを有する。
【００６７】
本実施の形態の外縁２１Ｓ，２１Ｔは、上方から下方に向かって（図６紙面に対して垂直な方向に）延びる平面状の形状を有する。ここで言う上方とは、送電部４００（図１参照）から送電部４００に対向する受電部２００側に向かう方向を含む。ここで言う下方とは、受電部２００から受電部２００に対向する送電部４００（図１参照）側に向かう方向を含む。
【００６８】
巻回軸Ａ２００が延びる方向および交差方向Ｂ２００が延びる方向の双方に対して直交する方向から受電部２００を見た場合（図６に示すように受電部２００を平面視した場合）、本実施の形態の外縁２１Ｓ，２１Ｔは、巻回軸Ａ２００に対して平行な位置関係にある。本実施の形態の長さＷ２１は、外縁２１Ｓと外縁２１Ｔとの間の寸法であり、巻回軸Ａ２００が延びる方向の任意の位置において同一の値を有する。換言すると、本実施の形態の巻回部２１は、交差方向Ｂ２００における長さＷ２１が、巻回軸Ａ２００が延びる方向の任意の位置において同一の値となる形状を有している。
【００６９】
本実施の形態においては、巻回部２１の外縁２１Ｓが、巻回部２１のうちの交差方向Ｂ２００が延びる方向における巻回軸Ａ２００から最も離れた部分に相当している。交差方向Ｂ２００における外縁２１Ｓと巻回軸Ａ２００との間の寸法Ｗ２１Ｓは、巻回軸Ａ２００が延びる方向の任意の位置において同一の値を有している。
【００７０】
本実施の形態においては、巻回部２１の外縁２１Ｔが、巻回部２１のうちの交差方向Ｂ２００の反対方向Ｃ２００が延びる方向における巻回軸Ａ２００から最も離れた部分に相当している。反対方向Ｃ２００における外縁２１Ｔと巻回軸Ａ２００との間の寸法Ｗ２１Ｔは、巻回軸Ａ２００が延びる方向の任意の位置において同一の値を有している。
【００７１】
本実施の形態においては、寸法Ｗ２１Ｓおよび寸法Ｗ２１Ｔは同一の値を有し、長さＷ２１の値は、寸法Ｗ２１Ｓおよび寸法Ｗ２１Ｔの和に等しい。外縁２１Ｓおよび外縁２１Ｔが互いに平行でない場合、巻回部２１の長さＷ２１は、たとえば巻回軸Ａ２００方向の任意の位置における巻回部２１の単位長さ当たりの長さＷ２１の平均値として算出されることができる。
【００７２】
（巻回部２２）
巻回軸Ａ２００および対向方向（図１中のＺ方向）の双方に対して直交する交差方向Ｂ２００において、巻回部２２は長さＷ２２を有する。本実施の形態の巻回部２２は、交差方向Ｂ２００が延びる方向の前方側に外縁２２Ｓを有し、交差方向Ｂ２００の反対方向Ｃ２００が延びる方向の前方側に外縁２２Ｔを有する。
【００７３】
本実施の形態の外縁２２Ｓ，２２Ｔは、上方から下方に向かって（図６紙面に対して垂直な方向に）延びる平面状の形状を有する。ここで言う上方とは、送電部４００（図１参照）から送電部４００に対向する受電部２００側に向かう方向を含む。ここで言う下方とは、受電部２００から受電部２００に対向する送電部４００（図１参照）側に向かう方向を含む。
【００７４】
巻回軸Ａ２００が延びる方向および交差方向Ｂ２００が延びる方向の双方に対して直交する方向から受電部２００を見た場合（図６に示すように受電部２００を平面視した場合）、本実施の形態の外縁２２Ｓ，２２Ｔは、巻回軸Ａ２００に対して平行な位置関係にある。本実施の形態の長さＷ２２は、外縁２２Ｓと外縁２２Ｔとの間の寸法であり、巻回軸Ａ２００が延びる方向の任意の位置において同一の値を有する。換言すると、本実施の形態の巻回部２２は、交差方向Ｂ２００における長さＷ２２が、巻回軸Ａ２００が延びる方向の任意の位置において同一の値となる形状を有している。
【００７５】
本実施の形態においては、巻回部２２の外縁２２Ｓが、巻回部２２のうちの交差方向Ｂ２００が延びる方向における巻回軸Ａ２００から最も離れた部分に相当している。交差方向Ｂ２００における外縁２２Ｓと巻回軸Ａ２００との間の寸法Ｗ２２Ｓは、巻回軸Ａ２００が延びる方向の任意の位置において同一の値を有している。
【００７６】
本実施の形態においては、巻回部２２の外縁２２Ｔが、巻回部２２のうちの交差方向Ｂ２００の反対方向Ｃ２００が延びる方向における巻回軸Ａ２００から最も離れた部分に相当している。反対方向Ｃ２００における外縁２２Ｔと巻回軸Ａ２００との間の寸法Ｗ２２Ｔは、巻回軸Ａ２００が延びる方向の任意の位置において同一の値を有している。
【００７７】
本実施の形態においては、寸法Ｗ２２Ｓおよび寸法Ｗ２２Ｔは同一の値を有し、長さＷ２２の値は、寸法Ｗ２２Ｓおよび寸法Ｗ２２Ｔの和に等しい。外縁２２Ｓおよび外縁２２Ｔが互いに平行でない場合、巻回部２２の長さＷ２２は、たとえば巻回軸Ａ２００方向の任意の位置における巻回部２２の単位長さ当たりの長さＷ２２の平均値として算出されることができる。
【００７８】
本実施の形態においては、巻回部２１の長さＷ２１と巻回部２２の長さＷ２２とは同一の値である。巻回部２１の寸法Ｗ２１Ｓ、巻回部２１の寸法Ｗ２１Ｔ、巻回部２２の寸法Ｗ２２Ｓおよび巻回部２２の寸法Ｗ２２Ｔは、いずれも同一の値である。
【００７９】
（外側磁極部２３）
巻回軸Ａ２００および対向方向（図１中のＺ方向）の双方に対して直交する交差方向Ｂ２００において、外側磁極部２３は長さＷ２３を有する。本実施の形態の外側磁極部２３は、交差方向Ｂ２００が延びる方向の前方側に外縁２３Ｓを有し、交差方向Ｂ２００の反対方向Ｃ２００が延びる方向の前方側に外縁２３Ｔを有する。
【００８０】
本実施の形態の外縁２３Ｓ，２３Ｔは、上方から下方に向かって（図６紙面に対して垂直な方向に）延びる平面状の形状を有する。ここで言う上方とは、送電部４００（図１参照）から送電部４００に対向する受電部２００側に向かう方向を含む。ここで言う下方とは、受電部２００から受電部２００に対向する送電部４００（図１参照）側に向かう方向を含む。
【００８１】
巻回軸Ａ２００が延びる方向および交差方向Ｂ２００が延びる方向の双方に対して直交する方向から受電部２００を見た場合（図６に示すように受電部２００を平面視した場合）、本実施の形態の外縁２３Ｓ，２３Ｔは、巻回軸Ａ２００に対して平行な位置関係にある。本実施の形態の長さＷ２３は、外縁２３Ｓと外縁２３Ｔとの間の寸法であり、巻回軸Ａ２００が延びる方向の任意の位置において同一の値を有する。換言すると、本実施の形態の外側磁極部２３は、交差方向Ｂ２００における長さＷ２３が、巻回軸Ａ２００が延びる方向の任意の位置において同一の値となる形状を有している。
【００８２】
本実施の形態においては、外側磁極部２３の外縁２３Ｓが、外側磁極部２３のうちの交差方向Ｂ２００が延びる方向における巻回軸Ａ２００から最も離れた部分に相当している。交差方向Ｂ２００における外縁２３Ｓと巻回軸Ａ２００との間の寸法Ｗ２３Ｓは、巻回軸Ａ２００が延びる方向の任意の位置において同一の値を有している。
【００８３】
本実施の形態においては、外側磁極部２３の外縁２３Ｔが、外側磁極部２３のうちの交差方向Ｂ２００の反対方向Ｃ２００が延びる方向における巻回軸Ａ２００から最も離れた部分に相当している。反対方向Ｃ２００における外縁２３Ｔと巻回軸Ａ２００との間の寸法Ｗ２３Ｔは、巻回軸Ａ２００が延びる方向の任意の位置において同一の値を有している。
【００８４】
本実施の形態においては、寸法Ｗ２３Ｓおよび寸法Ｗ２３Ｔは同一の値を有し、長さＷ２３の値は、寸法Ｗ２３Ｓおよび寸法Ｗ２３Ｔの和に等しい。外縁２３Ｓおよび外縁２３Ｔが互いに平行でない場合、外側磁極部２３の長さＷ２３は、たとえば巻回軸Ａ２００方向の任意の位置における外側磁極部２３の単位長さ当たりの長さＷ２３の平均値として算出されることができる。図７に示すように、本実施の形態における外側磁極部２３は、巻回軸Ａ２００が延びる方向において長さＬ２３を有している。
【００８５】
（外側磁極部２４）
巻回軸Ａ２００および対向方向（図１中のＺ方向）の双方に対して直交する交差方向Ｂ２００において、外側磁極部２４は長さＷ２４を有する。本実施の形態の外側磁極部２４は、交差方向Ｂ２００が延びる方向の前方側に外縁２４Ｓを有し、交差方向Ｂ２００の反対方向Ｃ２００が延びる方向の前方側に外縁２４Ｔを有する。
【００８６】
本実施の形態の外縁２４Ｓ，２４Ｔは、上方から下方に向かって（図６紙面に対して垂直な方向に）延びる平面状の形状を有する。ここで言う上方とは、送電部４００（図１参照）から送電部４００に対向する受電部２００側に向かう方向を含む。ここで言う下方とは、受電部２００から受電部２００に対向する送電部４００（図１参照）側に向かう方向を含む。
【００８７】
巻回軸Ａ２００が延びる方向および交差方向Ｂ２００が延びる方向の双方に対して直交する方向から受電部２００を見た場合（図６に示すように受電部２００を平面視した場合）、本実施の形態の外縁２４Ｓ，２４Ｔは、巻回軸Ａ２００に対して平行な位置関係にある。本実施の形態の長さＷ２４は、外縁２４Ｓと外縁２４Ｔとの間の寸法であり、巻回軸Ａ２００が延びる方向の任意の位置において同一の値を有する。換言すると、本実施の形態の外側磁極部２４は、交差方向Ｂ２００における長さＷ２４が、巻回軸Ａ２００が延びる方向の任意の位置において同一の値となる形状を有している。
【００８８】
本実施の形態においては、外側磁極部２４の外縁２４Ｓが、外側磁極部２４のうちの交差方向Ｂ２００が延びる方向における巻回軸Ａ２００から最も離れた部分に相当している。交差方向Ｂ２００における外縁２４Ｓと巻回軸Ａ２００との間の寸法Ｗ２４Ｓは、巻回軸Ａ２００が延びる方向の任意の位置において同一の値を有している。
【００８９】
本実施の形態においては、外側磁極部２４の外縁２４Ｔが、外側磁極部２４のうちの交差方向Ｂ２００の反対方向Ｃ２００が延びる方向における巻回軸Ａ２００から最も離れた部分に相当している。反対方向Ｃ２００における外縁２４Ｔと巻回軸Ａ２００との間の寸法Ｗ２４Ｔは、巻回軸Ａ２００が延びる方向の任意の位置において同一の値を有している。
【００９０】
本実施の形態においては、寸法Ｗ２４Ｓおよび寸法Ｗ２４Ｔは同一の値を有し、長さＷ２４の値は、寸法Ｗ２４Ｓおよび寸法Ｗ２４Ｔの和に等しい。外縁２４Ｓおよび外縁２４Ｔが互いに平行でない場合、外側磁極部２４の長さＷ２４は、たとえば巻回軸Ａ２００方向の任意の位置における外側磁極部２４の単位長さ当たりの長さＷ２４の平均値として算出されることができる。図７に示すように、本実施の形態における外側磁極部２４は、巻回軸Ａ２００が延びる方向において長さＬ２４を有している。
【００９１】
本実施の形態においては、外側磁極部２３の長さＷ２３と外側磁極部２４の長さＷ２４とは同一の値である。外側磁極部２３の寸法Ｗ２３Ｓ、外側磁極部２３の寸法Ｗ２３Ｔ、外側磁極部２４の寸法Ｗ２４Ｓおよび外側磁極部２４の寸法Ｗ２４Ｔは、いずれも同一の値である。外側磁極部２３の長さＬ２３および外側磁極部２４の長さＬ２４も、同一の値である。
【００９２】
（寸法関係）
（Ｗ２５＜Ｗ２３、Ｗ２５＜Ｗ２４、Ｗ２５＞Ｗ２１、Ｗ２５＞Ｗ２２）
図６を参照して、交差方向Ｂ２００における中央磁極部２５の長さＷ２５は、交差方向Ｂ２００における外側磁極部２３の長さＷ２３よりも短く、かつ、交差方向Ｂ２００における外側磁極部２４の長さＷ２４よりも短い。さらに、交差方向Ｂ２００における中央磁極部２５の長さＷ２５は、交差方向Ｂ２００における巻回部２１の長さＷ２１よりも長く、かつ、交差方向Ｂ２００における巻回部２２の長さＷ２２よりも長い。
【００９３】
（Ｗ２５Ｓ＜Ｗ２３Ｓ、Ｗ２５Ｓ＜Ｗ２４Ｓ）
中央磁極部２５のうちの交差方向Ｂ２００における巻回軸Ａ２００から最も離れた部分（外縁２５Ｓ）と巻回軸Ａ２００との間の寸法Ｗ２５Ｓは、外側磁極部２３のうちの交差方向Ｂ２００における巻回軸Ａ２００から最も離れた部分（外縁２３Ｓ）と巻回軸Ａ２００との間の寸法Ｗ２３Ｓよりも小さく、かつ、外側磁極部２４のうちの交差方向Ｂ２００における巻回軸Ａ２００から最も離れた部分（外縁２４Ｓ）と巻回軸Ａ２００との間の寸法Ｗ２４Ｓよりも小さい。
【００９４】
（Ｗ２５Ｓ＞Ｗ２１Ｓ、Ｗ２５Ｓ＞Ｗ２２Ｓ）
中央磁極部２５のうちの交差方向Ｂ２００における巻回軸Ａ２００から最も離れた部分（外縁２５Ｓ）と巻回軸Ａ２００との間の寸法Ｗ２５Ｓは、巻回部２１のうちの交差方向Ｂ２００における巻回軸Ａ２００から最も離れた部分（外縁２１Ｓ）と巻回軸Ａ２００との間の寸法Ｗ２１Ｓよりも大きく、かつ、巻回部２２のうちの交差方向Ｂ２００における巻回軸Ａ２００から最も離れた部分（外縁２２Ｓ）と巻回軸Ａ２００との間の寸法Ｗ２２Ｓよりも大きい。
【００９５】
（Ｗ２５Ｔ＜Ｗ２３Ｔ、Ｗ２５Ｔ＜Ｗ２４Ｔ）
中央磁極部２５のうちの交差方向Ｂ２００の反対方向Ｃ２００における巻回軸Ａ２００から最も離れた部分（外縁２５Ｔ）と巻回軸Ａ２００との間の寸法Ｗ２５Ｔは、外側磁極部２３のうちの交差方向Ｂ２００の反対方向Ｃ２００における巻回軸Ａ２００から最も離れた部分（外縁２３Ｔ）と巻回軸Ａ２００との間の寸法Ｗ２３Ｔよりも小さく、かつ、外側磁極部２４のうちの交差方向Ｂ２００の反対方向Ｃ２００における巻回軸Ａ２００から最も離れた部分（外縁２４Ｔ）と巻回軸Ａ２００との間の寸法Ｗ２４Ｔよりも小さい。
【００９６】
（Ｗ２５Ｔ＞Ｗ２１Ｔ、Ｗ２５Ｔ＞Ｗ２２Ｔ）
中央磁極部２５のうちの交差方向Ｂ２００の反対方向Ｃ２００における巻回軸Ａ２００から最も離れた部分（外縁２５Ｔ）と巻回軸Ａ２００との間の寸法Ｗ２５Ｔは、巻回部２１のうちの交差方向Ｂ２００の反対方向Ｃ２００における巻回軸Ａ２００から最も離れた部分（外縁２１Ｔ）と巻回軸Ａ２００との間の寸法Ｗ２１Ｔよりも大きく、かつ、巻回部２２のうちの交差方向Ｂ２００の反対方向Ｃ２００における巻回軸Ａ２００から最も離れた部分（外縁２２Ｔ）と巻回軸Ａ２００との間の寸法Ｗ２２Ｔよりも大きい。
【００９７】
好適には、図６に示すように、中央磁極部２５のうちの交差方向Ｂ２００における巻回軸Ａ２００から最も離れた部分（外縁２５Ｓ）は、外側磁極部２３のうちの交差方向Ｂ２００における巻回軸Ａ２００から最も離れた部分（外縁２３Ｓ）に比べて、交差方向Ｂ２００において巻回軸Ａ２００寄りに位置しているとよい。同様に、中央磁極部２５のうちの交差方向Ｂ２００における巻回軸Ａ２００から最も離れた部分（外縁２５Ｓ）は、外側磁極部２４のうちの交差方向Ｂ２００における巻回軸Ａ２００から最も離れた部分（外縁２４Ｓ）に比べて、交差方向Ｂ２００において巻回軸Ａ２００寄りに位置しているとよい。
【００９８】
好適には、図６に示すように、中央磁極部２５のうちの交差方向Ｂ２００の反対方向Ｃ２００における巻回軸Ａ２００から最も離れた部分（外縁２５Ｔ）は、外側磁極部２３のうちの交差方向Ｂ２００の反対方向Ｃ２００における巻回軸Ａ２００から最も離れた部分（外縁２３Ｔ）に比べて、交差方向Ｂ２００の反対方向Ｃ２００において巻回軸Ａ２００寄りに位置しているとよい。同様に、中央磁極部２５のうちの交差方向Ｂ２００の反対方向Ｃ２００における巻回軸Ａ２００から最も離れた部分（外縁２５Ｔ）は、外側磁極部２４のうちの交差方向Ｂ２００の反対方向Ｃ２００における巻回軸Ａ２００から最も離れた部分（外縁２４Ｔ）に比べて、交差方向Ｂ２００の反対方向Ｃ２００において巻回軸Ａ２００寄りに位置しているとよい。
【００９９】
図９は、コア２０の巻回部２１の周囲にコイル３１が配置され、コア２０の巻回部２２の周囲にコイル３２が配置された状態を示す平面図である。本実施の形態においては、交差方向Ｂ２００の前方側（図９紙面右側）におけるコイル３１の共通外接線は、巻回軸Ａ２００に対して平行に直線状に延びている。換言すると、コイル３１のうちの交差方向Ｂ２００における巻回軸Ａ２００から最も離れた部分（部分３１Ｓ）同士を結ぶ直線は、巻回軸Ａ２００に対して平行に直線状に延びている。当該直線は、交差方向Ｂ２００の前方側（図９紙面右側）におけるコイル３１の共通外接線に相当している。
【０１００】
交差方向Ｂ２００の反対方向Ｃ２００の前方側（図９紙面左側）におけるコイル３１の共通外接線は、巻回軸Ａ２００に対して平行に直線状に延びている。換言すると、コイル３１のうちの交差方向Ｂ２００の反対方向Ｃ２００における巻回軸Ａ２００から最も離れた部分（部分３１Ｔ）同士を結ぶ直線は、巻回軸Ａ２００に対して平行に直線状に延びている。当該直線は、交差方向Ｂ２００の反対方向Ｃ２００の前方側（図９紙面左側）におけるコイル３１の共通外接線に相当している。
【０１０１】
交差方向Ｂ２００の前方側（図９紙面右側）におけるコイル３２の共通外接線も、巻回軸Ａ２００に対して平行に直線状に延びている。換言すると、コイル３２のうちの交差方向Ｂ２００における巻回軸Ａ２００から最も離れた部分（部分３２Ｓ）同士を結ぶ直線は、巻回軸Ａ２００に対して平行に直線状に延びている。当該直線は、交差方向Ｂ２００の前方側（図９紙面右側）におけるコイル３２の共通外接線に相当している。
【０１０２】
交差方向Ｂ２００の反対方向Ｃ２００の前方側（図９紙面左側）におけるコイル３２の共通外接線は、巻回軸Ａ２００に対して平行に直線状に延びている。換言すると、コイル３２のうちの交差方向Ｂ２００の反対方向Ｃ２００における巻回軸Ａ２００から最も離れた部分（部分３２Ｔ）同士を結ぶ直線は、巻回軸Ａ２００に対して平行に直線状に延びている。当該直線は、交差方向Ｂ２００の反対方向Ｃ２００の前方側（図９紙面左側）におけるコイル３２の共通外接線に相当している。
【０１０３】
（Ｗ２５Ｓ＞Ｗ３１Ｓ、Ｗ２５Ｓ＞Ｗ３２Ｓ）
図９を参照して、さらに好適には、中央磁極部２５のうちの交差方向Ｂ２００における巻回軸Ａ２００から最も離れた部分（外縁２５Ｓ）と巻回軸Ａ２００との間の寸法Ｗ２５Ｓは、コイル３１のうちの交差方向Ｂ２００における巻回軸Ａ２００から最も離れた部分（部分３１Ｓ）と巻回軸Ａ２００との間の寸法Ｗ３１Ｓよりも大きいとよい。同様に、中央磁極部２５のうちの交差方向Ｂ２００における巻回軸Ａ２００から最も離れた部分（外縁２５Ｓ）と巻回軸Ａ２００との間の寸法Ｗ２５Ｓは、コイル３２のうちの交差方向Ｂ２００における巻回軸Ａ２００から最も離れた部分（部分３２Ｓ）と巻回軸Ａ２００との間の寸法Ｗ３２Ｓよりも大きいとよい。
【０１０４】
（Ｗ２５Ｔ＞Ｗ３１Ｔ、Ｗ２５Ｔ＞Ｗ３２Ｔ）
さらに好適には、中央磁極部２５のうちの交差方向Ｂ２００の反対方向Ｃ２００における巻回軸Ａ２００から最も離れた部分（外縁２５Ｔ）と巻回軸Ａ２００との間の寸法Ｗ２５Ｔは、コイル３１のうちの交差方向Ｂ２００の反対方向Ｃ２００における巻回軸Ａ２００から最も離れた部分（部分３１Ｔ）と巻回軸Ａ２００との間の寸法Ｗ３１Ｔよりも大きいとよい。同様に、中央磁極部２５のうちの交差方向Ｂ２００の反対方向Ｃ２００における巻回軸Ａ２００から最も離れた部分（外縁２５Ｔ）と巻回軸Ａ２００との間の寸法Ｗ２５Ｔは、コイル３２のうちの交差方向Ｂ２００の反対方向Ｃ２００における巻回軸Ａ２００から最も離れた部分（部分３２Ｔ）と巻回軸Ａ２００との間の寸法Ｗ３２Ｔよりも大きいとよい。
【０１０５】
（Ｌ２５＞Ｌ２３、Ｌ２５＞Ｌ２４）
さらに好適には、中央磁極部２５の長さＬ２５は、外側磁極部２３の長さＬ２３よりも長いとよい。中央磁極部２５の長さＬ２５は、外側磁極部２４の長さＬ２４よりも長いとよい。送電装置に円型コイルタイプのコイルユニットが用いられる場合、中央磁極部２５は、送電装置における円形状を有するコアの中央部分に対向する。中央磁極部２５の長さＬ２５が長さＬ２３，Ｌ２４よりも長いことによって、より高い結合係数を得ることが可能となる。
【０１０６】
（回路構成）
図１０は、電力伝送システム１０００（図１も参照）の回路構成を示す図である。上述のとおり、電力伝送システム１０００は、電動車両１０および外部給電装置６１を備える。
【０１０７】
（電動車両１０）
電動車両１０は、受電装置１１（受電部２００）、整流器１３、充電リレー１７０（ＣＨＲ）、バッテリ１５、システムメインリレー１１５（ＳＭＲ）、パワーコントロールユニット１６（ＰＣＵ）、モータユニット１７（ＭＵ）、動力伝達ギヤ１４０、前輪１８Ｌ，１８Ｒ（駆動輪）、制御部としての車両ＥＣＵ１２、表示部１４２、通信部１６０、電流センサ１７１、電圧センサ１７２、負荷抵抗１７３およびリレー１７４を備える。
【０１０８】
受電装置１１の受電部２００は、第１コイルとしてのコイル３１、第２コイルとしてのコイル３２、およびキャパシタ３３（コンデンサ）を有する。本実施の形態におけるコイル３１およびコイル３２は、直列接続されている。キャパシタ３３は、直列接続されたコイル３１およびコイル３２の両端に並列に接続される。キャパシタ３３は、必須の構成ではなく、必要に応じて用いられるとよい。
【０１０９】
キャパシタ３３は、コイル３１，３２とともにＬＣ共振回路を形成する。キャパシタ３３の容量は、コイル３１，３２の有するインダクタンスに応じて、所定の周波数となるように適宜設定される。キャパシタ３３は、静電容量が異なる複数の切替コンデンサの中から電気的な接続が切り替えられることによって選択された１または複数の切替コンデンサであるとよい。キャパシタ３３は、静電容量の値を調節可能なもの（たとえば可変コンデンサ）であってもよい。キャパシタ３３としては、これらの切替コンデンサおよび可変コンデンサが組み合わされて用いられてもよい。
【０１１０】
コイル３１，３２は、送電装置６０の送電部４００に含まれるコイル５１（一次コイル）から、電磁場を用いた電磁誘導により非接触で電力を受電する。コイル３１，３２については、コイル３１，３２とコイル５１との間の距離、ならびにコイル５１の周波数およびコイル３１，３２の周波数等に基づいて、コイル５１とコイル３１，３２との結合度を示す結合係数（κ）等が小さくなるようにその巻数およびコイル間距離が適宜設定される。
【０１１１】
コイル３１，３２は、受電した電力を整流器１３へ出力する。整流器１３は、コイル３１，３２から受ける交流電力を整流し、その整流された直流電力を、充電リレー１７０を通してバッテリ１５に出力する。整流器１３としては、たとえば、ダイオードブリッジおよび平滑用のコンデンサ（いずれも図示せず）を含む。整流器１３としては、スイッチング制御を用いて整流を行なう、いわゆるスイッチングレギュレータを用いることも可能である。整流器１３としては、整流器１３が受電部２００に含まれる場合もあり、発生する電磁場に伴うスイッチング素子の誤動作等を防止するために、ダイオードブリッジのような静止型の整流器とすることがより好ましい。
【０１１２】
図１０に示す構成においては、整流器１３によって整流された直流電力が、バッテリ１５へ直接出力される。整流後の直流電圧とバッテリ１５の許容できる充電電圧とが異なる場合には、図１を参照して述べたように、整流器１３とバッテリ１５との間に、電圧変換するためのＤＣ／ＤＣコンバータ１４（図１参照）が設けられてもよい。
【０１１３】
整流器１３の出力部分には、直列に接続された位置検出用の負荷抵抗１７３とリレー１７４とが接続される。本格的な充電が開始される前に、外部給電装置６１から車両へはテスト用信号として微弱な電力が送電される。このとき、リレー１７４は車両ＥＣＵ１２からの制御信号ＳＥ３によって制御され、導通状態とされる。
【０１１４】
電圧センサ１７２は、整流器１３とバッテリ１５とを結ぶ電力線対間に設けられる。電圧センサ１７２は、整流器１３の二次側の直流電圧、すなわち送電装置６０から受電した受電電圧を検出し、その検出値ＶＣを車両ＥＣＵ１２に出力する。車両ＥＣＵ１２は、電圧ＶＣによって受電効率を判断し、通信部１６０を経由して外部給電装置６１に受電効率に関する情報を送信する。
【０１１５】
電流センサ１７１は、整流器１３とバッテリ１５とを結ぶ電力線に設けられる。電流センサ１７１は、バッテリ１５への充電電流を検出し、その検出値ＩＣを車両ＥＣＵ１２へ出力する。充電リレー１７０は、整流器１３とバッテリ１５とに電気的に接続される。充電リレー１７０は、車両ＥＣＵ１２からの制御信号ＳＥ２により制御され、整流器１３からバッテリ１５への電力の供給と遮断とを切替える。
【０１１６】
バッテリ１５は、充放電可能に構成された電力貯蔵要素である。バッテリ１５は、たとえば、リチウムイオン電池、ニッケル水素電池もしくは鉛蓄電池などの二次電池、または電気二重層キャパシタなどの蓄電素子を含んで構成される。バッテリ１５は、充電リレー１７０を通して整流器１３に接続される。バッテリ１５は、受電部２００で受電され整流器１３で整流された電力を蓄電する。
【０１１７】
バッテリ１５は、システムメインリレー１１５を通してパワーコントロールユニット１６とも接続される。バッテリ１５は、車両駆動力を発生させるための電力をパワーコントロールユニット１６へ供給する。バッテリ１５は、モータユニット１７で発電された電力を蓄電する。バッテリ１５の出力はたとえば２００Ｖ程度である。
【０１１８】
バッテリ１５には、いずれも図示しないが、バッテリ１５の電圧ＶＢおよび入出力される電流ＩＢを検出するための電圧センサおよび電流センサが設けられる。これらの検出値は、車両ＥＣＵ１２へ出力される。車両ＥＣＵ１２は、この電圧ＶＢおよび電流ＩＢに基づいて、バッテリ１５の充電状態（「ＳＯＣ（State  Of  Charge）」とも称される。）を演算する。
【０１１９】
システムメインリレー１１５は、バッテリ１５とパワーコントロールユニット１６とを結ぶ電力線に介挿される。システムメインリレー１１５は、車両ＥＣＵ１２からの制御信号ＳＥ１によって制御され、バッテリ１５とパワーコントロールユニット１６との間での電力の供給と遮断とを切替える。
【０１２０】
パワーコントロールユニット１６は、いずれも図示しないが、コンバータおよびインバータを含む。コンバータは、車両ＥＣＵ１２からの制御信号ＰＷＣにより制御され、バッテリ１５からの電圧を変換する。インバータは、車両ＥＣＵ１２からの制御信号ＰＷＩにより制御され、コンバータで変換された電力を用いてモータユニット１７を駆動する。
【０１２１】
モータユニット１７は、交流回転電機として機能する。モータユニット１７としては、たとえば、永久磁石が埋設されたロータを備える永久磁石型同期電動機が用いられる。モータユニット１７の出力トルクは、動力伝達ギヤ１４０を通して駆動輪（前輪１８Ｒ，１８Ｌ）に伝達されて、電動車両１０を走行させる。モータユニット１７は、電動車両１０の回生制動動作時には、駆動輪の回転力によって発電することができる。回生制動動作時に発生した電力は、パワーコントロールユニット１６によってバッテリ１５の充電電力に変換される。
【０１２２】
モータユニット１７の他にエンジン（図示せず）が搭載されたハイブリッド自動車では、このエンジンおよびモータユニット１７を協調的に動作させることによって、車両駆動力が発生する。この場合、エンジンの回転による発電電力を用いて、バッテリ１５を充電することも可能である。
【０１２３】
通信部１６０は、電動車両１０と外部給電装置６１との間で無線通信を行なうための通信インターフェースである。通信部１６０は、車両ＥＣＵ１２からの、バッテリ１５についてのＳＯＣを含むバッテリ情報ＩＮＦＯを外部給電装置６１へ出力する。通信部１６０は、外部給電装置６１からの送電の開始および停止を指示する信号ＳＴＲＴ，ＳＴＰも送電装置６０へ出力する。
【０１２４】
車両ＥＣＵ１２は、いずれも図示しないがＣＰＵ（Central  Processing  Unit）、記憶装置および入出力バッファを含み、各センサ等からの信号の入力および各機器への制御信号の出力を行なうとともに、電動車両１０および各機器の制御を行なう。これらの制御については、ソフトウェアによる処理に限られず、専用のハードウェア（電子回路）で処理することも可能である。
【０１２５】
車両ＥＣＵ１２は、ユーザの操作などによる充電開始信号ＴＲＧを受けると、所定の条件が成立したことに基づいて、送電の開始を指示する信号ＳＴＲＴを、通信部１６０を通して外部給電装置６１へ出力する。車両ＥＣＵ１２は、バッテリ１５が満充電になったこと、またはユーザによる操作などに基づいて、送電の停止を指示する信号ＳＴＰを、通信部１６０を通して外部給電装置６１へ出力する。
【０１２６】
電動車両１０の表示部１４２は、車両ＥＣＵ１２が外部給電装置６１と通信を行なった後、たとえば、外部給電装置６１の送電部４００が電動車両１０の受電部２００に適合するか否かの判断結果などを表示する。
【０１２７】
（外部給電装置６１）
外部給電装置６１は、充電スタンド２１０および送電装置６０（送電部４００）を備える。充電スタンド２１０は、通信部２３０、制御部としての送電ＥＣＵ６５、高周波電力ドライバ６４、表示部２４２および料金受領部２４６を含む。送電装置６０の送電部４００は、コイル５１（一次コイル）およびキャパシタ５３を有する。
【０１２８】
高周波電力ドライバ６４は、送電ＥＣＵ６５からの制御信号ＭＯＤによって制御され、商用電源などの交流電源６３から受ける電力を高周波の電力に変換する。高周波電力ドライバ６４は、変換した高周波電力をコイル５１へ供給する。図１０には、インピーダンス変換を行なう整合器が記載されていないが、高周波電力ドライバ６４と送電部４００との間、または受電部２００と整流器１３との間に整合器を設けてもよい。
【０１２９】
コイル５１は、電動車両１０の受電部２００に含まれるコイル３１，３２（二次コイル）へ、電磁誘導により非接触で電力を送電する。コイル５１については、電動車両１０のコイル３１，３２との距離、ならびにコイル５１およびコイル３１，３２の周波数等に基づいて、コイル５１とコイル３１，３２との結合度を示す結合係数（κ）等が小さくなるようにその巻数およびコイル間距離が適宜設定される。
【０１３０】
キャパシタ５３は、コイル５１に直列に接続され、コイル５１とともにＬＣ共振回路を形成する。キャパシタ５３の容量は、コイル５１の有するインダクタンスに応じて、所定の周波数となるように適宜設定される。
【０１３１】
通信部２３０は、上述のように、外部給電装置６１と電動車両１０との間で無線通信を行なうための通信インターフェースである。通信部２３０は、電動車両１０側の通信部１６０から送信されるバッテリ情報ＩＮＦＯ、および、送電の開始および停止を指示する信号ＳＴＲＴ，ＳＴＰを受信し、これらの情報を送電ＥＣＵ６５へ出力する。
【０１３２】
料金受領部２４６には、充電に先立って、現金、プリペイドカード、またはクレジットカードなどが挿入される。送電ＥＣＵ６５は、高周波電力ドライバ６４に微弱電力によるテスト信号を送信させる。微弱電力とは、認証後にバッテリを充電する充電電力よりも小さい電力、あるいは、位置合わせの際に送電する電力であって、間欠的に送電する電力を含んでも良い。
【０１３３】
車両ＥＣＵ１２は、テスト信号を受信するために、リレー１７４をオン状態とし、充電リレー１７０をオフ状態とするように制御信号ＳＥ２，ＳＥ３を送信する。車両ＥＣＵ１２は、電圧ＶＣに基づいて受電効率および充電効率を算出する。車両ＥＣＵ１２は、算出した充電効率または受電効率を、通信部１６０を通して外部給電装置６１に送信する。
【０１３４】
外部給電装置６１の表示部２４２は、充電効率またはそれに対応する充電電力単価をユーザに対して表示する。表示部２４２は、たとえばタッチパネルのように入力部としての機能も有しており、充電電力単価をユーザが承認するか否かの入力を受け付けることができる。送電ＥＣＵ６５は、充電電力単価が承認された場合には高周波電力ドライバ６４に本格的な充電を開始させる。充電が完了した後、料金受領部２４６において料金が精算される。
【０１３５】
送電ＥＣＵ６５は、いずれも図示しないがＣＰＵ、記憶装置および入出力バッファを含み、各センサ等からの信号の入力および各機器への制御信号の出力を行なうとともに、充電スタンド２１０における各機器の制御を行なう。これらの制御については、ソフトウェアによる処理に限られず、専用のハードウェア（電子回路）で処理することも可能である。
【０１３６】
（電力伝送）
図１１は、受電部２００および送電部４００の間で電力伝送が行なわれている様子を模式的に示す斜視図である。図示上の便宜のため、図１１紙面内における上下方向は、図１紙面内における上下方向とは一致していない。図１１に示すように、電力伝送が行なわれる時には、受電部２００と送電部４００とは、エアギャップを空けて互いに対向するように配置される。
【０１３７】
図１を参照して上述したとおり、送電部４００のコア４０およびコイル５１は、いわゆる円型コイルタイプのコイルユニットを構成している。磁束は、いわゆるドーナツ型の形状を有しており、円形状を有するコア４０の中央部分を通過する。ここで言う中央部分とは、コア４０の外形円の中心付近であって、コイル５１が存在せずに中空となっている部分である。
【０１３８】
受電部２００と送電部４００との間で電力伝送が行なわれる時には、コア４０およびコア２０が互いに対向するように配置され、コイル５１に所定の周波数の交流電流が供給される。コイル５１に所定の交流電流が供給されることで、コイル５１の周囲には、所定の周波数で振動する電磁界４０１，４０２が形成される。
【０１３９】
電磁界４０１に形成される磁束は、いわゆるアーチ型形状を有しており、コア４０の中央部分、中央磁極部２５、巻回部２１および外側磁極部２３を通過する。コイル３１は、電磁界４０１から電力を受電する。電磁界４０２に形成される磁束も、いわゆるアーチ型形状を有しており、コア４０の中央部分、中央磁極部２５、巻回部２２および外側磁極部２４を通過する。コイル３２は、電磁界４０２から電力を受電する。
【０１４０】
図１２は、受電部２００と送電部４００（図示せず）との間で電力伝送が行なわれている時の受電部２００のコア２０を示す平面図である。図１１および図１２を参照して、電力伝送が行なわれる時、電磁界４０１に形成される磁束および電磁界４０２に形成される磁束は、中央磁極部２５のうちの外縁２５Ｓ，２５Ｔ寄りの部分も通過する。
【０１４１】
たとえば、送電部４００の位置に対して受電部２００が交差方向Ｂ２００方向にずれて配置されたとする。この場合であっても、磁束は、中央磁極部２５のうちの外縁２５Ｔ寄りの部分を通過することができる。したがって、交差方向Ｂ２００において受電部２００と送電部４００とが相対的に位置ずれしたとしても、磁束が形成され、電力伝送効率が低下することを抑制できる。
【０１４２】
一方で、送電部４００の位置に対して受電部２００が交差方向Ｂ２００の反対方向Ｃ２００にずれて配置されたとする。この場合であっても、磁束は、中央磁極部２５のうちの外縁２５Ｓ寄りの部分を通過することができる。したがって、交差方向Ｂ２００の反対方向Ｃ２００において受電部２００と送電部４００とが相対的に位置ずれしたとしても、磁束が形成され、電力伝送効率が低下することを抑制できる。
【０１４３】
図１３を参照して、仮に、コア２０Ｚを備える受電装置を用いて電力伝送が行なわれたとする。コア２０Ｚも、中央磁極部２５を備える。コア２０Ｚの中央磁極部２５は、巻回軸Ａ２００に対して直交する交差方向Ｂ２００において、長さＷ２５Ｚを有する。コア２０Ｚの外側磁極部２３は、交差方向Ｂ２００において長さＷ２３Ｚを有する。コア２０Ｚの外側磁極部２４は、交差方向Ｂ２００において長さＷ２４Ｚを有する。
【０１４４】
長さＷ２５Ｚは、長さＷ２３Ｚよりも長く、かつ、長さＷ２４Ｚよりも長い。交差方向Ｂ２００が延びる方向において、中央磁極部２５のうちの外縁２５Ｓは、外側磁極部２３の外縁２３Ｓよりも外側に位置し、かつ、外側磁極部２４の外縁２４Ｓよりも外側に位置している。交差方向Ｂ２００の反対方向Ｃ２００が延びる方向において、中央磁極部２５のうちの外縁２５Ｔは、外側磁極部２３の外縁２３Ｔよりも外側に位置し、かつ、外側磁極部２４の外縁２４Ｔよりも外側に位置している。
【０１４５】
電力伝送が行なわれる時、電磁界４０１に形成される磁束および電磁界４０２に形成される磁束は、中央磁極部２５のうちの外縁２５Ｓ，２５Ｔ寄りの部分も通過する。しかしながら、コア２０Ｚを備える受電装置においては、電力伝送に用いられない磁束成分（コア４０の中央部分を通過しない磁束成分）が本実施の形態における受電装置１１を用いた場合に比べて多くなる。コア２０Ｚを備える受電装置においては、電力伝送効率が低下しやすい。受電装置を収容するケース６６（図３参照）も、コア２０Ｚの形状に対応して大きさが大きくなる。
【０１４６】
したがって本実施の形態における受電装置によれば、受電部と送電部とが相対的に位置ずれしたとしても、電力伝送効率が低下することを抑制できるだけでなく、電力伝送に用いられない磁束成分が増加することも抑制できる。受電装置を収容するケース６６も、コア２０Ｚが用いられる場合に比べて小型化を図ることが可能となる。
【０１４７】
図１４を参照して、本実施の形態における受電装置（受電部２００）は、送電部４００Ａを備えた送電装置との間でも電力伝送を行なうことができる。図１４は、受電部２００および送電部４００Ａの間で電力伝送が行なわれている様子を模式的に示す斜視図である。図示上の便宜のため、図１４紙面内における上下方向は、図１紙面内における上下方向とは一致していない。図１４に示すように、電力伝送が行なわれる時には、受電部２００と送電部４００Ａとは、エアギャップを空けて互いに対向するように配置される。
【０１４８】
送電部４００Ａは、フェライト製のコア４０Ａ、コイル５１（１次コイル）および図示しないキャパシタを含む。送電部４００Ａは、いわゆるソレノイド型のコイルタイプである。コア４０Ａは、軸部８８および外側磁極部４３，４４を有する。コア４０Ａは、全体としてＨ形状を有する。コア４０Ａの軸部４８は、板状に形成され、コイル５１の巻回軸が延びる方向に沿って延びる形状を有する。コイル５１の巻回軸は、直線状に延びる形状を有する。コイル５１は、巻回軸の周囲を取り囲むように形成される。
【０１４９】
コア４０Ａの外側磁極部４３は、コイル５１の巻回軸が延びる方向における軸部４８の一方の端部に設けられる。外側磁極部４３は、板状に形成される。外側磁極部４３は、コイル５１の巻回軸が延びる方向に対して直交する方向に沿って延びる形状を有する。また、コア４０Ａの外側磁極部４４は、コイル５１の巻回軸が延びる方向における軸部４８の他方の端部に設けられる。外側磁極部４４は、板状に形成される。外側磁極部４４は、コイル５１の巻回軸が延びる方向に対して直交する方向に沿って延びる形状を有する。
【０１５０】
受電部２００と送電部４００Ａとの間で電力伝送が行なわれる時には、コア４０Ａの軸部４８およびコア２０の巻回部２２が互いに対向するように配置され、コイル５１に所定の周波数の交流電流が供給される。コイル５１に所定の交流電流が供給されることで、コイル５１の周囲には、所定の周波数で振動する電磁界４１１が形成される。
【０１５１】
電磁界４１１に形成される磁束は、いわゆるアーチ型形状を有しており、コア４０Ａの外側磁極部４４、軸部４８、外側磁極部４３、コア２０の中央磁極部２５、巻回部２２、コイル３２および外側磁極部２４を通過する。コイル３２は、電磁界４１１から電力を受電する。電力伝送が行なわれる時、電磁界４１１に形成される磁束は、中央磁極部２５のうちの外縁２５Ｓ，２５Ｔ寄りの部分も通過する。
【０１５２】
たとえば、送電部４００Ａの位置に対して受電部２００が交差方向Ｂ２００方向にずれて配置されたとする。この場合であっても、磁束は、中央磁極部２５のうちの外縁２５Ｔ寄りの部分を通過することができる。したがって、交差方向Ｂ２００において受電部２００と送電部４００Ａとが相対的に位置ずれしたとしても、磁束が形成され、電力伝送効率が低下することを抑制できる。
【０１５３】
一方で、送電部４００Ａの位置に対して受電部２００が交差方向Ｂ２００の反対方向Ｃ２００にずれて配置されたとする。この場合であっても、磁束は、中央磁極部２５のうちの外縁２５Ｓ寄りの部分を通過することができる。したがって、交差方向Ｂ２００の反対方向Ｃ２００において受電部２００と送電部４００Ａとが相対的に位置ずれしたとしても、磁束が形成され、電力伝送効率が低下することを抑制できる。
【０１５４】
コイル３１，３２の対向方向（図１中における矢印Ｚ方向）における位置を変更し、これらとコイル５１との間の間隔（コイル間距離）を調節する調節機構が車両側に設けられていてもよい。ここで言う調節機構とは、車両全体の高さを上下動させることができる一般的な車高調整装置、およびエアサスペンション機構などと連動して受電装置のみを上下動させることができるいわゆるニーリング装置などが含まれる。この場合、電動車両は、送電部のコイルユニットのタイプが円型であるのか、ソレノイド型であるのかを含む情報を、送電装置（通信部２３０）から受信する。各コイルタイプを示す情報は、磁束通過特性を示す情報の一例である。受信する情報は、磁束通過特性を示す情報であれば、他の形式で表現されてもよい。通信部２３０から受信した情報に基づいて、調節機構は、送電部に対応する最適なコイル間距離となるように受信装置の高さ位置を変更する。当該構成によれば、より高い結合係数を得ることができる。
【０１５５】
［実施の形態２］
図１５は、実施の形態２における電力伝送システム１０００Ａの回路構成を示す図である。電力伝送システム１０００Ｂは、電動車両１０および外部給電装置６１Ｂを備える。電動車両１０は、上述の実施の形態１における電動車両１０（図１０参照）と同一の回路構成を有する。電動車両１０の説明については、繰り返さないものとする。
【０１５６】
外部給電装置６１Ｂと上述の実施の形態１における外部給電装置６１（図１０参照）とは、外部給電装置６１Ｂが、外部給電装置６１の送電装置６０の代わりに,送電装置６０Ｂを備えているという点で異なる。送電装置６０Ｂの送電部４００Ｂは、コイル５１（第１コイル）、コイル５２（第２コイル）、キャパシタ５３（第１コンデンサ）、およびキャパシタ５４（第２コンデンサ）を有する。
【０１５７】
本実施の形態におけるコイル５１およびコイル５２は、キャパシタ５３を挟んで直列接続されている。キャパシタ５３は、コイル５１およびコイル５２の間でこれらに直列接続されている。キャパシタ５４は、コイル５１および高周波電力ドライバ６４（高周波電源）の間でこれらに直列接続されている。キャパシタ５３，５４は、必須の構成ではなく、必要に応じて用いられるとよい。
【０１５８】
キャパシタ５３，５４は、コイル５１，５２とともにＬＣ共振回路を形成する。キャパシタ５３，５４の容量は、コイル５１，５２の有するインダクタンスに応じて、所定の周波数となるように適宜設定される。キャパシタ５３，５４は、静電容量が異なる複数の切替コンデンサの中から電気的な接続が切り替えられることによって選択された１または複数の切替コンデンサであるとよい。キャパシタ５３，５４は、静電容量の値を調節可能なもの（たとえば可変コンデンサ）であってもよい。キャパシタ５３，５４としては、これらの切替コンデンサおよび可変コンデンサが組み合わされて用いられてもよい。
【０１５９】
コイル５１，５２は、受電装置１１の受電部２００に含まれるコイル３１，３２（一次コイル）へ、電磁場を用いた電磁誘導により非接触で電力を送電する。コイル５１，５２については、コイル５１，５２とコイル３１，３２との間の距離、ならびにコイル５１，５２の周波数およびコイル３１，３２の周波数等に基づいて、コイル５１，５２とコイル３１，３２との結合度を示す結合係数（κ）等が小さくなるようにその巻数およびコイル間距離が適宜設定される。
【０１６０】
図１６は、送電部４００Ｂに用いられるコア４０Ｂを示す平面図である。コイル５１，５２（図１５参照）は、コア４０Ｂの周囲に配置される。説明上の便宜のため、図１６においては、コア４０Ｂにコイル５１，５２が巻回されていない状態が図示されている。
【０１６１】
コア４０Ｂは、軸部４８および外側磁極部４３，４４を含む。軸部４８は、コイル５１，５２の巻回軸Ａ４００が延びる方向に沿って延びる形状を有する。本実施の形態においては、コイル５１，５２の巻回軸Ａ４００は、直線状に延びる形状を有する。コイル５１，５２の巻回軸Ａ４００は、対向方向（図１中における矢印Ｚ方向）に対して直交する方向に延びている。ここで言う対向方向とは、コイル５１，５２が受電部側のコイル３１，３２（図１５参照）に対向する方向である。本実施の形態における対向方向は、駐車スペース６２（図１参照）の表面（地面）に対して垂直な方向であり、巻回軸Ａ４００は、駐車スペース６２（図１参照）の表面（地面）に対して平行な方向に延びている。コイル５１，５２は、巻回軸Ａ４００の周囲を取り囲むように形成される。
【０１６２】
ここで言うコイル５１の巻回軸Ａ４００は、たとえば、コイル５１の長さ方向における一方の端部からコイル５１の長さ方向における他方の端部にわたってコイル５１を単位長さに区分したとき、その単位長さ毎のコイル５１の曲率中心点またはその曲率中心点の近傍を通る線を描くことで形成される。単位長さ毎のコイル５１の曲率中心点から仮想線である巻回軸Ａ４００を導く方法としては、線形近似、対数近似、および多項式近似などの各種近似方法が挙げられる。コイル５２の巻回軸Ａ４００についても同様であり、本実施の形態においては、コイル５１の巻回軸とコイル５２の巻回軸とは、巻回軸Ａ４００として略同一の直線を形成している。
【０１６３】
軸部４８は、第１巻回部としての巻回部４１、第２巻回部としての巻回部４２、および中央磁極部４５を有する。本実施の形態においては、図５で説明した支持部材２６，２７と同様な支持部材４６，４７を用いて、コイル５１，５２および巻回部４１，４２がそれぞれ固定される。
【０１６４】
第１巻回部としての巻回部４１は、板状の形状を有する複数のフェライトが積層されることによって構成され、支持部材４６の内部に差し込まれている。巻回部４１は、単一のフェライトから構成されていてもよい。コイル５１は、支持部材４６の周囲に巻回される。コイル５１が支持部材４６の周囲に巻回された状態では、コイル５１は巻回部４１の周囲に配置される。コイル５１は、巻回軸Ａ４００が延びる方向における一方の端部から他方の端部に向かうにつれて、巻回軸Ａ４００の延びる方向に変位するように形成されている。コイル５１の位置ずれは、支持部材４６によって防止される。
【０１６５】
第２巻回部としての巻回部４２は、板状の形状を有する複数のフェライトが積層されることによって構成され、支持部材４７の内部に差し込まれている。巻回部４２は、単一のフェライトから構成されていてもよい。コイル５２は、支持部材４７の周囲に巻回される。コイル５２が支持部材４７の周囲に巻回された状態では、コイル５２は巻回部４２の周囲に配置される。コイル５２は、巻回軸Ａ４００が延びる方向における一方の端部から他方の端部に向かうにつれて、巻回軸Ａ４００の延びる方向に変位するように形成されている。コイル５２の位置ずれは、支持部材４７によって防止される。
【０１６６】
コア４０Ｂの中央磁極部４５は、フェライトおよびこのフェライトを固定する図示しない固定部材を有する。中央磁極部４５は、巻回軸Ａ４００が延びる方向における支持部材４６および支持部材４７の間に設けられる。中央磁極部４５のフェライトは、巻回軸Ａ４００が延びる方向における巻回部４１および巻回部４２の間に配置される。中央磁極部４５に用いられるフェライトは、全体として直方体状の形状を有する。中央磁極部４５に用いられるフェライトも、複数の部材から構成されていてもよいし、単一の部材から構成されていてもよい。
【０１６７】
コア４０Ｂの外側磁極部４３は、巻回軸Ａ４００が延びる方向において、軸部４８のうちの中央磁極部４５よりも巻回部４１の端部側に設けられる。本実施の形態におけるコア４０Ｂの外側磁極部４３は、巻回軸Ａ４００が延びる方向における軸部４８の一方の端部に設けられる。外側磁極部４３は、板状に形成され、フェライトおよびこのフェライトを固定する図示しない固定部材を有する。外側磁極部４３は、矩形状の外形を有し、交差方向Ｂ４００に沿って延びる形状を有する。ここで言う交差方向Ｂ４００とは、コイル３１，３２およびコイル５１，５２同士が対向する方向である対向方向（図１中のＺ方向）、ならびに巻回軸Ａ４００が延びる方向の双方に対して直交する方向である。外側磁極部４３に用いられるフェライトも、複数の部材から構成されていてもよいし、単一の部材から構成されていてもよい。
【０１６８】
コア４０Ｂの外側磁極部４４は、巻回軸Ａ４００が延びる方向において、軸部４８のうちの中央磁極部４５よりも巻回部４２の端部側に設けられる。本実施の形態におけるコア４０Ｂの外側磁極部４４は、巻回軸Ａ４００が延びる方向における軸部４８の他方の端部に設けられる。外側磁極部４４は、板状に形成され、フェライトおよびこのフェライトを固定する図示しない固定部材を有する。外側磁極部４４も、矩形状の外形を有し、交差方向Ｂ４００に沿って延びる形状を有する。ここで言う交差方向Ｂ４００とは、コイル３１，３２およびコイル５１，５２同士が対向する方向である対向方向（図１中のＺ方向）、ならびに巻回軸Ａ４００が延びる方向の双方に対して直交する方向である。外側磁極部４４に用いられるフェライトも、複数の部材から構成されていてもよいし、単一の部材から構成されていてもよい。
【０１６９】
（中央磁極部４５）
巻回軸Ａ４００および対向方向（図１中のＺ方向）の双方に対して直交する交差方向Ｂ４００において、中央磁極部４５は長さＷ４５を有する。本実施の形態の中央磁極部４５は、交差方向Ｂ４００が延びる方向の前方側に外縁４５Ｓを有し、交差方向Ｂ４００の反対方向Ｃ４００が延びる方向の前方側に外縁４５Ｔを有する。
【０１７０】
本実施の形態の外縁４５Ｓ，４５Ｔは、上方から下方に向かって（図１６紙面に対して垂直な方向に）延びる平面状の形状を有する。ここで言う上方とは、送電部４００Ｂから送電部４００Ｂに対向する受電部２００（図１０参照）側に向かう方向を含む。ここで言う下方とは、受電部２００（図１０参照）から受電部２００に対向する送電部４００Ｂ側に向かう方向を含む。
【０１７１】
巻回軸Ａ４００が延びる方向および交差方向Ｂ４００が延びる方向の双方に対して直交する方向から送電部４００Ｂを見た場合（図１６に示すように送電部４００Ｂを平面視した場合）、本実施の形態の外縁４５Ｓ，４５Ｔは、巻回軸Ａ４００に対して平行な位置関係にある。本実施の形態の長さＷ４５は、外縁４５Ｓと外縁４５Ｔとの間の寸法であり、巻回軸Ａ４００が延びる方向の任意の位置において同一の値を有する。換言すると、本実施の形態の中央磁極部４５は、交差方向Ｂ４００における長さＷ４５が、巻回軸Ａ４００が延びる方向の任意の位置において同一の値となる形状を有している。
【０１７２】
本実施の形態においては、中央磁極部４５の外縁４５Ｓが、中央磁極部４５のうちの交差方向Ｂ４００が延びる方向における巻回軸Ａ４００から最も離れた部分に相当している。交差方向Ｂ４００における外縁４５Ｓと巻回軸Ａ４００との間の寸法Ｗ４５Ｓは、巻回軸Ａ４００が延びる方向の任意の位置において同一の値を有している。
【０１７３】
本実施の形態においては、中央磁極部４５の外縁４５Ｔが、中央磁極部４５のうちの交差方向Ｂ４００の反対方向Ｃ４００が延びる方向における巻回軸Ａ４００から最も離れた部分に相当している。反対方向Ｃ４００における外縁４５Ｔと巻回軸Ａ４００との間の寸法Ｗ４５Ｔは、巻回軸Ａ４００が延びる方向の任意の位置において同一の値を有している。
【０１７４】
本実施の形態においては、寸法Ｗ４５Ｓおよび寸法Ｗ４５Ｔは同一の値を有し、長さＷ４５の値は、寸法Ｗ４５Ｓおよび寸法Ｗ４５Ｔの和に等しい。外縁４５Ｓおよび外縁４５Ｔが互いに平行でない場合、中央磁極部４５の長さＷ４５は、たとえば巻回軸Ａ４００方向の任意の位置における中央磁極部４５の単位長さ当たりの長さＷ４５の平均値として算出されることができる。本実施の形態における中央磁極部４５は、巻回軸Ａ４００が延びる方向において長さＬ４５を有している。
【０１７５】
（巻回部４１）
巻回軸Ａ４００および対向方向（図１中のＺ方向）の双方に対して直交する交差方向Ｂ４００において、巻回部４１は長さＷ４１を有する。本実施の形態の巻回部４１は、交差方向Ｂ４００が延びる方向の前方側に外縁４１Ｓを有し、交差方向Ｂ４００の反対方向Ｃ４００が延びる方向の前方側に外縁４１Ｔを有する。
【０１７６】
本実施の形態の外縁４１Ｓ，４１Ｔは、上方から下方に向かって（図１６紙面に対して垂直な方向に）延びる平面状の形状を有する。ここで言う上方とは、送電部４００Ｂから送電部４００Ｂに対向する受電部２００（図１０参照）側に向かう方向を含む。ここで言う下方とは、受電部２００（図１０参照）から受電部２００に対向する送電部４００Ｂ側に向かう方向を含む。
【０１７７】
巻回軸Ａ４００が延びる方向および交差方向Ｂ４００が延びる方向の双方に対して直交する方向から送電部４００Ｂを見た場合（図１６に示すように送電部４００Ｂを平面視した場合）、本実施の形態の外縁４１Ｓ，４１Ｔは、巻回軸Ａ４００に対して平行な位置関係にある。本実施の形態の長さＷ４１は、外縁４１Ｓと外縁４１Ｔとの間の寸法であり、巻回軸Ａ４００が延びる方向の任意の位置において同一の値を有する。換言すると、本実施の形態の巻回部４１は、交差方向Ｂ４００における長さＷ４１が、巻回軸Ａ４００が延びる方向の任意の位置において同一の値となる形状を有している。
【０１７８】
本実施の形態においては、巻回部４１の外縁４１Ｓが、巻回部４１のうちの交差方向Ｂ４００が延びる方向における巻回軸Ａ４００から最も離れた部分に相当している。交差方向Ｂ４００における外縁４１Ｓと巻回軸Ａ４００との間の寸法Ｗ４１Ｓは、巻回軸Ａ４００が延びる方向の任意の位置において同一の値を有している。
【０１７９】
本実施の形態においては、巻回部４１の外縁４１Ｔが、巻回部４１のうちの交差方向Ｂ４００の反対方向Ｃ４００が延びる方向における巻回軸Ａ４００から最も離れた部分に相当している。反対方向Ｃ４００における外縁４１Ｔと巻回軸Ａ４００との間の寸法Ｗ４１Ｔは、巻回軸Ａ４００が延びる方向の任意の位置において同一の値を有している。
【０１８０】
本実施の形態においては、寸法Ｗ４１Ｓおよび寸法Ｗ４１Ｔは同一の値を有し、長さＷ４１の値は、寸法Ｗ４１Ｓおよび寸法Ｗ４１Ｔの和に等しい。外縁４１Ｓおよび外縁４１Ｔが互いに平行でない場合、巻回部４１の長さＷ４１は、たとえば巻回軸Ａ４００方向の任意の位置における巻回部４１の単位長さ当たりの長さＷ４１の平均値として算出されることができる。
【０１８１】
（巻回部４２）
巻回軸Ａ４００および対向方向（図１中のＺ方向）の双方に対して直交する交差方向Ｂ４００において、巻回部４２は長さＷ４２を有する。本実施の形態の巻回部４２は、交差方向Ｂ４００が延びる方向の前方側に外縁４２Ｓを有し、交差方向Ｂ４００の反対方向Ｃ４００が延びる方向の前方側に外縁４２Ｔを有する。
【０１８２】
本実施の形態の外縁４２Ｓ，４２Ｔは、上方から下方に向かって（図１６紙面に対して垂直な方向に）延びる平面状の形状を有する。ここで言う上方とは、送電部４００Ｂから送電部４００Ｂに対向する受電部２００（図１０参照）側に向かう方向を含む。ここで言う下方とは、受電部２００（図１０参照）から受電部２００に対向する送電部４００Ｂ側に向かう方向を含む。
【０１８３】
巻回軸Ａ４００が延びる方向および交差方向Ｂ４００が延びる方向の双方に対して直交する方向から送電部４００Ｂを見た場合（図１６に示すように送電部４００Ｂを平面視した場合）、本実施の形態の外縁４２Ｓ，４２Ｔは、巻回軸Ａ４００に対して平行な位置関係にある。本実施の形態の長さＷ４２は、外縁４２Ｓと外縁４２Ｔとの間の寸法であり、巻回軸Ａ４００が延びる方向の任意の位置において同一の値を有する。換言すると、本実施の形態の巻回部４２は、交差方向Ｂ４００における長さＷ４２が、巻回軸Ａ４００が延びる方向の任意の位置において同一の値となる形状を有している。
【０１８４】
本実施の形態においては、巻回部４２の外縁４２Ｓが、巻回部４２のうちの交差方向Ｂ４００が延びる方向における巻回軸Ａ４００から最も離れた部分に相当している。交差方向Ｂ４００における外縁４２Ｓと巻回軸Ａ４００との間の寸法Ｗ４２Ｓは、巻回軸Ａ４００が延びる方向の任意の位置において同一の値を有している。
【０１８５】
本実施の形態においては、巻回部４２の外縁４２Ｔが、巻回部４２のうちの交差方向Ｂ４００の反対方向Ｃ４００が延びる方向における巻回軸Ａ４００から最も離れた部分に相当している。反対方向Ｃ４００における外縁４２Ｔと巻回軸Ａ４００との間の寸法Ｗ４２Ｔは、巻回軸Ａ４００が延びる方向の任意の位置において同一の値を有している。
【０１８６】
本実施の形態においては、寸法Ｗ４２Ｓおよび寸法Ｗ４２Ｔは同一の値を有し、長さＷ４２の値は、寸法Ｗ４２Ｓおよび寸法Ｗ４２Ｔの和に等しい。外縁４２Ｓおよび外縁４２Ｔが互いに平行でない場合、巻回部４２の長さＷ４２は、たとえば巻回軸Ａ４００方向の任意の位置における巻回部４２の単位長さ当たりの長さＷ４２の平均値として算出されることができる。
【０１８７】
本実施の形態においては、巻回部４１の長さＷ４１と巻回部４２の長さＷ４２とは同一の値である。巻回部４１の寸法Ｗ４１Ｓ、巻回部４１の寸法Ｗ４１Ｔ、巻回部４２の寸法Ｗ４２Ｓおよび巻回部４２の寸法Ｗ４２Ｔは、いずれも同一の値である。
【０１８８】
（外側磁極部４３）
巻回軸Ａ４００および対向方向（図１中のＺ方向）の双方に対して直交する交差方向Ｂ４００において、外側磁極部４３は長さＷ４３を有する。本実施の形態の外側磁極部４３は、交差方向Ｂ４００が延びる方向の前方側に外縁４３Ｓを有し、交差方向Ｂ４００の反対方向Ｃ４００が延びる方向の前方側に外縁４３Ｔを有する。
【０１８９】
本実施の形態の外縁４３Ｓ，４３Ｔは、上方から下方に向かって（図１６紙面に対して垂直な方向に）延びる平面状の形状を有する。ここで言う上方とは、送電部４００Ｂから送電部４００Ｂに対向する受電部２００（図１０参照）側に向かう方向を含む。ここで言う下方とは、受電部２００（図１０参照）から受電部２００に対向する送電部４００Ｂ側に向かう方向を含む。
【０１９０】
巻回軸Ａ４００が延びる方向および交差方向Ｂ４００が延びる方向の双方に対して直交する方向から送電部４００Ｂを見た場合（図１６に示すように送電部４００Ｂを平面視した場合）、本実施の形態の外縁４３Ｓ，４３Ｔは、巻回軸Ａ４００に対して平行な位置関係にある。本実施の形態の長さＷ４３は、外縁４３Ｓと外縁４３Ｔとの間の寸法であり、巻回軸Ａ４００が延びる方向の任意の位置において同一の値を有する。換言すると、本実施の形態の外側磁極部４３は、交差方向Ｂ４００における長さＷ４３が、巻回軸Ａ４００が延びる方向の任意の位置において同一の値となる形状を有している。
【０１９１】
本実施の形態においては、外側磁極部４３の外縁４３Ｓが、外側磁極部４３のうちの交差方向Ｂ４００が延びる方向における巻回軸Ａ４００から最も離れた部分に相当している。交差方向Ｂ４００における外縁４３Ｓと巻回軸Ａ４００との間の寸法Ｗ４３Ｓは、巻回軸Ａ４００が延びる方向の任意の位置において同一の値を有している。
【０１９２】
本実施の形態においては、外側磁極部４３の外縁４３Ｔが、外側磁極部４３のうちの交差方向Ｂ４００の反対方向Ｃ４００が延びる方向における巻回軸Ａ４００から最も離れた部分に相当している。反対方向Ｃ４００における外縁４３Ｔと巻回軸Ａ４００との間の寸法Ｗ４３Ｔは、巻回軸Ａ４００が延びる方向の任意の位置において同一の値を有している。
【０１９３】
本実施の形態においては、寸法Ｗ４３Ｓおよび寸法Ｗ４３Ｔは同一の値を有し、長さＷ４３の値は、寸法Ｗ４３Ｓおよび寸法Ｗ４３Ｔの和に等しい。外縁４３Ｓおよび外縁４３Ｔが互いに平行でない場合、外側磁極部４３の長さＷ４３は、たとえば巻回軸Ａ４００方向の任意の位置における外側磁極部４３の単位長さ当たりの長さＷ４３の平均値として算出されることができる。本実施の形態における外側磁極部４３は、巻回軸Ａ４００が延びる方向において長さＬ４３を有している。
【０１９４】
（外側磁極部４４）
巻回軸Ａ４００および対向方向（図１中のＺ方向）の双方に対して直交する交差方向Ｂ４００において、外側磁極部４４は長さＷ４４を有する。本実施の形態の外側磁極部４４は、交差方向Ｂ４００が延びる方向の前方側に外縁４４Ｓを有し、交差方向Ｂ４００の反対方向Ｃ４００が延びる方向の前方側に外縁４４Ｔを有する。
【０１９５】
本実施の形態の外縁４４Ｓ，４４Ｔは、上方から下方に向かって（図１６紙面に対して垂直な方向に）延びる平面状の形状を有する。ここで言う上方とは、送電部４００Ｂから送電部４００Ｂに対向する受電部２００（図１０参照）側に向かう方向を含む。ここで言う下方とは、受電部２００（図１０参照）から受電部２００に対向する送電部４００Ｂ側に向かう方向を含む。
【０１９６】
巻回軸Ａ４００が延びる方向および交差方向Ｂ４００が延びる方向の双方に対して直交する方向から送電部４００Ｂを見た場合（図１６に示すように送電部４００Ｂを平面視した場合）、本実施の形態の外縁４４Ｓ，４４Ｔは、巻回軸Ａ４００に対して平行な位置関係にある。本実施の形態の長さＷ４４は、外縁４４Ｓと外縁４４Ｔとの間の寸法であり、巻回軸Ａ４００が延びる方向の任意の位置において同一の値を有する。換言すると、本実施の形態の外側磁極部４４は、交差方向Ｂ４００における長さＷ４４が、巻回軸Ａ４００が延びる方向の任意の位置において同一の値となる形状を有している。
【０１９７】
本実施の形態においては、外側磁極部４４の外縁４４Ｓが、外側磁極部４４のうちの交差方向Ｂ４００が延びる方向における巻回軸Ａ４００から最も離れた部分に相当している。交差方向Ｂ４００における外縁４４Ｓと巻回軸Ａ４００との間の寸法Ｗ４４Ｓは、巻回軸Ａ４００が延びる方向の任意の位置において同一の値を有している。
【０１９８】
本実施の形態においては、外側磁極部４４の外縁４４Ｔが、外側磁極部４４のうちの交差方向Ｂ４００の反対方向Ｃ４００が延びる方向における巻回軸Ａ４００から最も離れた部分に相当している。反対方向Ｃ４００における外縁４４Ｔと巻回軸Ａ４００との間の寸法Ｗ４４Ｔは、巻回軸Ａ４００が延びる方向の任意の位置において同一の値を有している。
【０１９９】
本実施の形態においては、寸法Ｗ４４Ｓおよび寸法Ｗ４４Ｔは同一の値を有し、長さＷ４４の値は、寸法Ｗ４４Ｓおよび寸法Ｗ４４Ｔの和に等しい。外縁４４Ｓおよび外縁４４Ｔが互いに平行でない場合、外側磁極部４４の長さＷ４４は、たとえば巻回軸Ａ４００方向の任意の位置における外側磁極部４４の単位長さ当たりの長さＷ４４の平均値として算出されることができる。本実施の形態における外側磁極部４４は、巻回軸Ａ４００が延びる方向において長さＬ４４を有している。
【０２００】
本実施の形態においては、外側磁極部４３の長さＷ４３と外側磁極部４４の長さＷ４４とは同一の値である。外側磁極部４３の寸法Ｗ４３Ｓ、外側磁極部４３の寸法Ｗ４３Ｔ、外側磁極部４４の寸法Ｗ４４Ｓおよび外側磁極部４４の寸法Ｗ４４Ｔは、いずれも同一の値である。外側磁極部４３の長さＬ４３および外側磁極部４４の長さＬ４４も、同一の値である。
【０２０１】
（寸法関係）
（Ｗ４５＜Ｗ４３、Ｗ４５＜Ｗ４４、Ｗ４５＞Ｗ４１、Ｗ４５＞Ｗ４２）
図１６を参照して、交差方向Ｂ４００における中央磁極部４５の長さＷ４５は、交差方向Ｂ４００における外側磁極部４３の長さＷ４３よりも短く、かつ、交差方向Ｂ４００における外側磁極部４４の長さＷ４４よりも短い。さらに、交差方向Ｂ４００における中央磁極部４５の長さＷ４５は、交差方向Ｂ４００における巻回部４１の長さＷ４１よりも長く、かつ、交差方向Ｂ４００における巻回部４２の長さＷ４２よりも長い。
【０２０２】
（Ｗ４５Ｓ＜Ｗ４３Ｓ、Ｗ４５Ｓ＜Ｗ４４Ｓ）
中央磁極部４５のうちの交差方向Ｂ４００における巻回軸Ａ４００から最も離れた部分（外縁４５Ｓ）と巻回軸Ａ４００との間の寸法Ｗ４５Ｓは、外側磁極部４３のうちの交差方向Ｂ４００における巻回軸Ａ４００から最も離れた部分（外縁４３Ｓ）と巻回軸Ａ４００との間の寸法Ｗ４３Ｓよりも小さく、かつ、外側磁極部４４のうちの交差方向Ｂ４００における巻回軸Ａ４００から最も離れた部分（外縁４４Ｓ）と巻回軸Ａ４００との間の寸法Ｗ４４Ｓよりも小さい。
【０２０３】
（Ｗ４５Ｓ＞Ｗ４１Ｓ、Ｗ４５Ｓ＞Ｗ４２Ｓ）
中央磁極部４５のうちの交差方向Ｂ４００における巻回軸Ａ４００から最も離れた部分（外縁４５Ｓ）と巻回軸Ａ４００との間の寸法Ｗ４５Ｓは、巻回部４１のうちの交差方向Ｂ４００における巻回軸Ａ４００から最も離れた部分（外縁４１Ｓ）と巻回軸Ａ４００との間の寸法Ｗ４１Ｓよりも大きく、かつ、巻回部４２のうちの交差方向Ｂ４００における巻回軸Ａ４００から最も離れた部分（外縁４２Ｓ）と巻回軸Ａ４００との間の寸法Ｗ４２Ｓよりも大きい。
【０２０４】
（Ｗ４５Ｔ＜Ｗ４３Ｔ、Ｗ４５Ｔ＜Ｗ４４Ｔ）
中央磁極部４５のうちの交差方向Ｂ４００の反対方向Ｃ４００における巻回軸Ａ４００から最も離れた部分（外縁４５Ｔ）と巻回軸Ａ４００との間の寸法Ｗ４５Ｔは、外側磁極部４３のうちの交差方向Ｂ４００の反対方向Ｃ４００における巻回軸Ａ４００から最も離れた部分（外縁４３Ｔ）と巻回軸Ａ４００との間の寸法Ｗ４３Ｔよりも小さく、かつ、外側磁極部４４のうちの交差方向Ｂ４００の反対方向Ｃ４００における巻回軸Ａ４００から最も離れた部分（外縁４４Ｔ）と巻回軸Ａ４００との間の寸法Ｗ４４Ｔよりも小さい。
【０２０５】
（Ｗ４５Ｔ＞Ｗ４１Ｔ、Ｗ４５Ｔ＞Ｗ４２Ｔ）
中央磁極部４５のうちの交差方向Ｂ４００の反対方向Ｃ４００における巻回軸Ａ４００から最も離れた部分（外縁４５Ｔ）と巻回軸Ａ４００との間の寸法Ｗ４５Ｔは、巻回部４１のうちの交差方向Ｂ４００の反対方向Ｃ４００における巻回軸Ａ４００から最も離れた部分（外縁４１Ｔ）と巻回軸Ａ４００との間の寸法Ｗ４１Ｔよりも大きく、かつ、巻回部４２のうちの交差方向Ｂ４００の反対方向Ｃ４００における巻回軸Ａ４００から最も離れた部分（外縁４２Ｔ）と巻回軸Ａ４００との間の寸法Ｗ４２Ｔよりも大きい。
【０２０６】
好適には、図１６に示すように、中央磁極部４５のうちの交差方向Ｂ４００における巻回軸Ａ４００から最も離れた部分（外縁４５Ｓ）は、外側磁極部４３のうちの交差方向Ｂ４００における巻回軸Ａ４００から最も離れた部分（外縁４３Ｓ）に比べて、交差方向Ｂ４００において巻回軸Ａ４００寄りに位置しているとよい。同様に、中央磁極部４５のうちの交差方向Ｂ４００における巻回軸Ａ４００から最も離れた部分（外縁４５Ｓ）は、外側磁極部４４のうちの交差方向Ｂ４００における巻回軸Ａ４００から最も離れた部分（外縁４４Ｓ）に比べて、交差方向Ｂ４００において巻回軸Ａ４００寄りに位置しているとよい。
【０２０７】
好適には、図１６に示すように、中央磁極部４５のうちの交差方向Ｂ４００の反対方向Ｃ４００における巻回軸Ａ４００から最も離れた部分（外縁４５Ｔ）は、外側磁極部４３のうちの交差方向Ｂ４００の反対方向Ｃ４００における巻回軸Ａ４００から最も離れた部分（外縁４３Ｔ）に比べて、交差方向Ｂ４００の反対方向Ｃ４００において巻回軸Ａ４００寄りに位置しているとよい。同様に、中央磁極部４５のうちの交差方向Ｂ４００の反対方向Ｃ４００における巻回軸Ａ４００から最も離れた部分（外縁４５Ｔ）は、外側磁極部４４のうちの交差方向Ｂ４００の反対方向Ｃ４００における巻回軸Ａ４００から最も離れた部分（外縁４４Ｔ）に比べて、交差方向Ｂ４００の反対方向Ｃ４００において巻回軸Ａ４００寄りに位置しているとよい。
【０２０８】
図１７は、コア４０Ｂの巻回部４１の周囲にコイル５１が配置され、コア４０Ｂの巻回部４２の周囲にコイル５２が配置された状態を示す平面図である。本実施の形態においては、交差方向Ｂ４００の前方側（図１７紙面右側）におけるコイル５１の共通外接線は、巻回軸Ａ４００に対して平行に直線状に延びている。換言すると、コイル５１のうちの交差方向Ｂ４００における巻回軸Ａ４００から最も離れた部分（部分５１Ｓ）同士を結ぶ直線は、巻回軸Ａ４００に対して平行に直線状に延びている。当該直線は、交差方向Ｂ４００の前方側（図１７紙面右側）におけるコイル５１の共通外接線に相当している。
【０２０９】
交差方向Ｂ４００の反対方向Ｃ４００の前方側（図１７紙面左側）におけるコイル５１の共通外接線は、巻回軸Ａ４００に対して平行に直線状に延びている。換言すると、コイル５１のうちの交差方向Ｂ４００の反対方向Ｃ４００における巻回軸Ａ４００から最も離れた部分（部分５１Ｔ）同士を結ぶ直線は、巻回軸Ａ４００に対して平行に直線状に延びている。当該直線は、交差方向Ｂ４００の反対方向Ｃ４００の前方側（図１７紙面左側）におけるコイル５１の共通外接線に相当している。
【０２１０】
交差方向Ｂ４００の前方側（図１７紙面右側）におけるコイル５２の共通外接線も、巻回軸Ａ４００に対して平行に直線状に延びている。換言すると、コイル５２のうちの交差方向Ｂ４００における巻回軸Ａ４００から最も離れた部分（部分５２Ｓ）同士を結ぶ直線は、巻回軸Ａ４００に対して平行に直線状に延びている。当該直線は、交差方向Ｂ４００の前方側（図１７紙面右側）におけるコイル５２の共通外接線に相当している。
【０２１１】
交差方向Ｂ４００の反対方向Ｃ４００の前方側（図１７紙面左側）におけるコイル５２の共通外接線は、巻回軸Ａ４００に対して平行に直線状に延びている。換言すると、コイル５２のうちの交差方向Ｂ４００の反対方向Ｃ４００における巻回軸Ａ４００から最も離れた部分（部分５２Ｔ）同士を結ぶ直線は、巻回軸Ａ４００に対して平行に直線状に延びている。当該直線は、交差方向Ｂ４００の反対方向Ｃ４００の前方側（図１７紙面左側）におけるコイル５２の共通外接線に相当している。
【０２１２】
（Ｗ４５Ｓ＞Ｗ５１Ｓ、Ｗ４５Ｓ＞Ｗ５２Ｓ）
図１７を参照して、さらに好適には、中央磁極部４５のうちの交差方向Ｂ４００における巻回軸Ａ４００から最も離れた部分（外縁４５Ｓ）と巻回軸Ａ４００との間の寸法Ｗ４５Ｓは、コイル５１のうちの交差方向Ｂ４００における巻回軸Ａ４００から最も離れた部分（部分５１Ｓ）と巻回軸Ａ４００との間の寸法Ｗ５１Ｓよりも大きいとよい。同様に、中央磁極部４５のうちの交差方向Ｂ４００における巻回軸Ａ４００から最も離れた部分（外縁４５Ｓ）と巻回軸Ａ４００との間の寸法Ｗ４５Ｓは、コイル５２のうちの交差方向Ｂ４００における巻回軸Ａ４００から最も離れた部分（部分５２Ｓ）と巻回軸Ａ４００との間の寸法Ｗ５２Ｓよりも大きいとよい。
【０２１３】
（Ｗ４５Ｔ＞Ｗ５１Ｔ、Ｗ４５Ｔ＞Ｗ５２Ｔ）
さらに好適には、中央磁極部４５のうちの交差方向Ｂ４００の反対方向Ｃ４００における巻回軸Ａ４００から最も離れた部分（外縁４５Ｔ）と巻回軸Ａ４００との間の寸法Ｗ４５Ｔは、コイル５１のうちの交差方向Ｂ４００の反対方向Ｃ４００における巻回軸Ａ４００から最も離れた部分（部分５１Ｔ）と巻回軸Ａ４００との間の寸法Ｗ５１Ｔよりも大きいとよい。同様に、中央磁極部４５のうちの交差方向Ｂ４００の反対方向Ｃ４００における巻回軸Ａ４００から最も離れた部分（外縁４５Ｔ）と巻回軸Ａ４００との間の寸法Ｗ４５Ｔは、コイル５２のうちの交差方向Ｂ４００の反対方向Ｃ４００における巻回軸Ａ４００から最も離れた部分（部分５２Ｔ）と巻回軸Ａ４００との間の寸法Ｗ５２Ｔよりも大きいとよい。
【０２１４】
（Ｌ４５＞Ｌ４３、Ｌ４５＞Ｌ４４）
さらに好適には、中央磁極部４５の長さＬ４５は、外側磁極部４３の長さＬ４３よりも長いとよい。中央磁極部４５の長さＬ４５は、外側磁極部４４の長さＬ４４よりも長いとよい。受電装置に円型コイルタイプのコイルユニットが用いられる場合、中央磁極部４５は、受電装置における円形状を有するコアの中央部分に対向する。中央磁極部４５の長さＬ４５が長さＬ４３，Ｌ４４よりも長いことによって、より高い結合係数を得ることが可能となる。
【０２１５】
（電力伝送）
図１８は、受電部２００および送電部４００Ｂの間で電力伝送が行なわれている様子を模式的に示す斜視図である。図示上の便宜のため、図１８紙面内における上下方向は、図１紙面内における上下方向とは一致していない。図１８に示すように、電力伝送が行なわれる時には、受電部２００と送電部４００Ｂとは、エアギャップを空けて互いに対向するように配置される。
【０２１６】
受電部２００と送電部４００Ｂとの間で電力伝送が行なわれる時には、コイル３１およびコイル５１が互いに対向するように配置され、コイル３２およびコイル５２が互いに対向するように配置され、コイル５１，５２に所定の周波数の交流電流が供給される。コイル５１，５２に所定の交流電流が供給されることで、コイル５１，５２の周囲には、所定の周波数で振動する電磁界４２１，４２２が形成される。
【０２１７】
電磁界４２１に形成される磁束は、いわゆるアーチ型形状を有しており、コア４０Ｂの外側磁極部４３、巻回部４１、中央磁極部４５、コア２０の中央磁極部２５、巻回部２１および外側磁極部２３を通過する。コイル３１は、電磁界４２１から電力を受電する。
【０２１８】
電磁界４２２に形成される磁束も、いわゆるアーチ型形状を有しており、コア４０Ｂの外側磁極部４４、巻回部４２、中央磁極部４５、コア２０の中央磁極部２５、巻回部２２および外側磁極部２４を通過する。コイル３２は、電磁界４２２から電力を受電する。
【０２１９】
電力伝送が行なわれる時、電磁界４２１に形成される磁束および電磁界４２２に形成される磁束は、中央磁極部２５のうちの外縁２５Ｓ，２５Ｔ寄りの部分、および中央磁極部４５のうちの外縁４５Ｓ，４５Ｔ寄りの部分も通過する。
【０２２０】
たとえば、送電部４００Ｂの位置に対して受電部２００が交差方向Ｂ２００方向にずれて配置されたとする。この場合であっても、磁束は、中央磁極部２５のうちの外縁２５Ｔ寄りの部分および中央磁極部４５のうちの外縁４５Ｔ寄りの部分を通過することができる。したがって、交差方向Ｂ２００において受電部２００と送電部４００Ｂとが相対的に位置ずれしたとしても、磁束が形成され、電力伝送効率が低下することを抑制できる。
【０２２１】
一方で、送電部４００Ｂの位置に対して受電部２００が交差方向Ｂ２００の反対方向Ｃ２００にずれて配置されたとする。この場合であっても、磁束は、中央磁極部２５のうちの外縁２５Ｓ寄りの部分および中央磁極部４５のうちの外縁４５Ｓ寄りの部分を通過することができる。したがって、交差方向Ｂ２００の反対方向Ｃ２００において受電部２００と送電部４００Ｂとが相対的に位置ずれしたとしても、磁束が形成され、電力伝送効率が低下することを抑制できる。
【０２２２】
送電部４００Ｂに用いられるコア４０Ｂは、図１１で示したような送電部４００と同様なコイルタイプを有する受電部との間でも、電力伝送を行なうことができる。交差方向Ｂ２００または反対方向Ｃ２００においてその受電部と送電部４００Ｂとが相対的に位置ずれしたとしても、磁束が形成され、電力伝送効率が低下することを抑制できる。
【０２２３】
送電部４００Ｂに用いられるコア４０Ｂは、図１４で示したような送電部４００Ａと同様なコイルタイプを有する受電部との間でも、電力伝送を行なうことができる。交差方向Ｂ２００または反対方向Ｃ２００においてその受電部と送電部４００Ｂとが相対的に位置ずれしたとしても、磁束が形成され、電力伝送効率が低下することを抑制できる。
【０２２４】
図１９は、受電部２００および送電部４００Ｃの間で電力伝送が行なわれている様子を模式的に示す斜視図である。図示上の便宜のため、図１９紙面内における上下方向は、図１紙面内における上下方向とは一致していない。図１９に示すように、受電部２００および送電部４００Ｃの間で電力伝送が行なわれる時には、受電部２００と送電部４００Ｃとは、エアギャップを空けて互いに対向するように配置される。
【０２２５】
受電部２００は、上述の実施の形態１における受電部２００と同一の構成を有する。送電部４００Ｃは、上述の実施の形態２における送電部４００Ｂと同一の構成を有する。受電部２００と送電部４００Ｃとの間で行なわれる電力伝送においては、コイル５１，５２に流される電流の向きが、上述の実施の形態２と異なっている。
【０２２６】
受電部２００と送電部４００Ｃとの間で電力伝送が行なわれる時には、コイル３１およびコイル５１が互いに対向するように配置され、コイル３２およびコイル５２が互いに対向するように配置され、コイル５１，５２に所定の周波数の交流電流が供給される。コイル５１，５２に所定の交流電流が供給されることで、コイル５１，５２の周囲には、所定の周波数で振動する電磁界４３１が形成される。
【０２２７】
電磁界４３１に形成される磁束は、いわゆるアーチ型形状を有しており、コア４０Ｂの外側磁極部４４、巻回部４２、中央磁極部４５、巻回部４１、外側磁極部４３、コア２０の外側磁極部２３、巻回部２１、中央磁極部２５、巻回部２２および外側磁極部２４を通過する。コイル３１，３２は、電磁界４３１から電力を受電する。
【０２２８】
図２０は、受電部２００および送電部４００Ｄの間で電力伝送が行なわれている様子を模式的に示す斜視図である。図示上の便宜のため、図２０紙面内における上下方向は、図１紙面内における上下方向とは一致していない。図２０に示すように、受電部２００および送電部４００Ｄの間で電力伝送が行なわれる時には、受電部２００と送電部４００Ｄとは、エアギャップを空けて互いに対向するように配置される。
【０２２９】
受電部２００は、上述の実施の形態２における受電部２００と同一の構成を有する。送電部４００Ｄは、図１４で示した送電部４００Ａのコア４０Ａと同様な形状を有するコア４０Ｄを含む。コア４０Ｄの巻回軸方向における長さは、コア４０Ａの同方向における長さよりも長く、コア２０の同方向における長さと等しい。
【０２３０】
受電部２００と送電部４００Ｄとの間で電力伝送が行なわれる時には、コア４０Ｄおよびコア２０が互いに対向するように配置され、コイル５１に所定の周波数の交流電流が供給される。コイル５１に所定の交流電流が供給されることで、コイル５１の周囲には、所定の周波数で振動する電磁界４４１が形成される。
【０２３１】
電磁界４４１に形成される磁束は、いわゆるアーチ型形状を有しており、コア４０Ｄの外側磁極部４４、軸部４８、外側磁極部４３、コア２０の外側磁極部２３、巻回部２１、中央磁極部２５、巻回部２２および外側磁極部２４を通過する。コイル３１，３２は、電磁界４４１から電力を受電する。
【０２３２】
図１１、図１４、図１８、図１９および図２０を参照して上述したように、受電部２００は、コイル３１，３２に流される電流の向きに応じて、複数のタイプのコイルユニットに対応することができる。換言すると、受電部２００は、送電部に用いられるコイルユニットが円型のコイルタイプの場合であっても、ソレノイド型のコイルタイプの場合であっても、コア２０の形状を変更することなくこれらとの間で電力伝送を行なうことができる。
【０２３３】
一般的には、送電部に用いられるコイルユニットが円型のコイルタイプである場合には、円型のコイルタイプに対応する受電部を準備する必要があり、送電部に用いられるコイルユニットがソレノイド型のコイルタイプである場合には、ソレノイド型のコイルタイプに対応する受電部を準備する必要がある。
【０２３４】
これに対して受電部２００は、コイル３１，３２に流される電流の向き（コイル３１，３２の電気的な接続方式）を変更することにより、送電部に用いられるコイルユニットが円型のコイルタイプの場合であっても、送電部に用いられるコイルユニットがソレノイド型のコイルタイプの場合であっても、送電部との間で電力伝送を行なうことができる。
【０２３５】
たとえば、受電部２００を備えた電動車両が投入される市場において、円型のコイルタイプからなる送電部での使用が主流である場合には、コイル３１，３２の接続方式を予め円型のコイルタイプからなる送電部に対応可能な状態にして、その受電部２００を電動車両に搭載するとよい。受電部２００を備えた電動車両が投入される市場において、ソレノイド型のコイルタイプからなる送電部での使用が主流である場合には、コイル３１，３２の接続方式を予めソレノイド型のコイルタイプからなる送電部に対応可能な状態にして、その受電部２００を電動車両に搭載するとよい。
【０２３６】
したがって受電部２００を備えた電動車両は、コイル３１，３２に流される電流の向き（コイル３１，３２の電気的な接続方式）を変更することにより、複数種類の送電部との間で電力伝送を行なうことが可能となる。受電部２００を備えた電動車両によれば、製造上の高い利便性を得ることが可能となる。送電部に受電部２００と同様な構成を有するコイルユニット（図１８に示す送電部４００Ｂ）が搭載される場合でも、同様の作用および効果を得ることが可能となる。
【０２３７】
本実施の形態においても、受電装置側のコイルの対向方向（図１中における矢印Ｚ方向）における位置を変更し、これらと送電装置側のコイルとの間の間隔（コイル間距離）を調節する調節機構が車両側に設けられていてもよい。ここで言う調節機構とは、車両全体の高さを上下動させることができる一般的な車高調整装置、およびエアサスペンション機構などと連動して受電装置のみを上下動させることができるいわゆるニーリング装置などが含まれる。この場合、電動車両は、送電部のコイルユニットのタイプが円型であるのか、ソレノイド型であるのかを含む情報を、送電装置から受信する。各コイルタイプを示す情報は、磁束通過特性を示す情報の一例である。受信する情報は、磁束通過特性を示す情報であれば、他の形式で表現されてもよい。通信部から受信した情報に基づいて、調節機構は、送電部に対応する最適なコイル間距離となるように受信装置の高さ位置を変更する。当該構成によれば、より高い結合係数を得ることができる。
【０２３８】
たとえば、図１９に示す受電部２００および送電部４００Ｃの間で電力伝送が行なわれる場合の結合係数、ならびに図２０に示す受電部２００および送電部４００Ｄの間で電力伝送が行なわれる場合の結合係数は、図１１に示す受電部２００および送電部４００の間で電力伝送が行なわれる場合の結合係数に比べて小さく、コイル間距離（ギャップ長）が大きくなると、給電効率が低下しやすくなる。したがって、図１１に示す構成で電力伝送が行なわれる場合には、図１９および図２０に示す構成で電力伝送が行なわれる場合に比べて、調節機構を用いてコイル間距離（ギャップ長）が小さくなるように調節されるとよい。
【０２３９】
図２１〜図２３を参照して、受電部２００に用いられるコイル３１，３２は、コイル３１，３２に流される電流の向きを電気制御的に切り替え可能に構成されていてもよい。受電部２００を備えた受電装置は、切替信号によって、円型のコイルユニットに対応する構成（図２２参照）と、ソレノイド型のコイルユニットに対応する構成（図２３参照）とを相互に変更することが可能である。
【０２４０】
電動車両は、送電部のコイルユニットのタイプが円型であるのか、ソレノイド型であるのかを含む情報を、送電装置の通信部２３０から受信する。各コイルタイプを示す情報は、磁束通過特性を示す情報の一例である。受信する情報は、磁束通過特性を示す情報であれば、他の形式で表現されてもよい。通信部２３０から受信した情報に基づいて、受電装置の受電部２００は、送電部に対応する構成となるように構成を変更する。
【０２４１】
図２２は、動作モードＣで動作した場合の図２１のＸＸＩＩ−ＸＸＩＩの断面図である。動作モードＣは、円型のコイルユニットに対応する磁束分布となるように受電部２００が動作するモードである。図２２では、円型の送電部４００（図１１参照）と受電部２００とが対向している様子が示されている。
【０２４２】
受電部２００は、動作モードＣでは、コイル３１とコイル３２とに異なる向きの電流が流れる。動作モードＣでは、いわゆるドーナツ型の形状を有する磁束が形成され、コイル３１およびコイル３２の間の部分（中央磁極部２５）からコア４０の中央部分に流れる磁束が通る。中央磁極部２５からコア４０の中央部分に抜けた磁束は、コア４０の内部を外側に向けて通過する。磁束は、コイル５１の外側を通り、コア２０の内部を中央に向けて通過して、中央磁極部２５に戻る。送電部４００には交流電流が流れるので、コイルに流れる電流の向きが反転すると磁束の向きも反転する。
【０２４３】
図２３は、動作モードＰで動作した場合の図２１のＸＸＩＩ−ＸＸＩＩの断面図である。動作モードＰは、ソレノイド型のコイルユニットに対応する磁束分布となるように受電部２００が動作するモードである。図２３では、ソレノイド型の送電部４００Ｄ（図２０参照）と受電部２００とが対向している様子が示されている。
【０２４４】
受電部２００は、動作モードＰでは、コイル３１とコイル３２とに同じ向きの電流が流れる。動作モードＰでは、いわゆるアーチ型形状を有する磁束が形成され、コイル５１側のコア４０Ｄの端部からコイル５２側のコア４０Ｄの端部に向けて磁束が通る。コイル５１からコイル５２に向けてコア４０Ｄの内部を通った磁束は、コイル３２の一方端に向かい、コイル３２側からコイル３１側に向けてコア２０の内部を通り、コイル５１側のコア４０Ｄの端部に戻る。送電部４００Ｄには交流電流が流れるので、コイルに流れる電流の向きが反転すると磁束の向きも反転する。
【０２４５】
図２４は、コイル３１とコイル３２との接続を切替える第１構成例を示す回路図である。図２４を参照して、切替部９０は、リレーＳＷＣ１〜ＳＷＣ３と、リレーＳＷＰ１，ＳＷＰ２とを含む。動作モードＣで動作させる場合には、リレーＳＷＣ１〜ＳＷＣ３が導通状態に制御され、リレーＳＷＰ１，ＳＷＰ２は非導通状態に制御される。動作モードＣでは、図２２で説明したようにコイル３１とコイル３２とには、断面図において異なる向きに電流が流れる。動作モードＰで動作させる場合には、リレーＳＷＣ１〜ＳＷＣ３が非導通状態に制御され、リレーＳＷＰ１，ＳＷＰ２は導通状態に制御される。動作モードＰでは、図２３で説明したようにコイル３１とコイル３２とには断面図において同じ向きに電流が流れる。
【０２４６】
図２５は、コイル３１とコイル３２との接続を切替える第２構成例を示す回路図である。図２５を参照して、切替部９１は、リレーＳＷＣ４，ＳＷＣ５と、リレーＳＷＰ３とを含む。動作モードＣで動作させる場合には、リレーＳＷＣ４，ＳＷＣ５が導通状態に制御され、リレーＳＷＰ３は非導通状態に制御される。動作モードＣでは、図２２で説明したようにコイル３１とコイル３２とには断面図において異なる向きに電流が流れる。動作モードＰで動作させる場合には、リレーＳＷＣ４，ＳＷＣ５が非導通状態に制御され、リレーＳＷＰ３は導通状態に制御される。動作モードＰでは、図２３で説明したようにコイル３１とコイル３２には断面図において同じ向きに電流が流れる。
【０２４７】
図２６は、コイル３１とコイル３２の接続を切替える第３構成例を示す回路図である。図２６を参照して、切替部９２は、スイッチＳＷ６，ＳＷ７を含む。動作モードＣで動作させる場合には、スイッチＳＷ６，ＳＷ７がともにＣ端子を選択するように制御される。動作モードＣでは、図２２で説明したようにコイル３１とコイル３２とには断面図において異なる向きに電流が流れる。動作モードＰで動作させる場合には、スイッチＳＷ６，ＳＷ７がともにＰ端子を選択するように制御される。動作モードＰでは、図２３で説明したようにコイル３１とコイル３２には断面図において同じ向きに電流が流れる。
【０２４８】
図２４〜図２６にそれぞれ示す切替部９０〜９２は、車両ＥＣＵ１２（図１０参照）が送電装置の通信部２３０から受信した信号に応じて、動作モードＣおよび動作モードＰのうちのいずれかの動作状態を形成するように、車両ＥＣＵ１２によって制御される。図２４〜図２６にそれぞれ示す切替部９０〜９２は、送電装置側に設けられていてもよい。この場合、送電装置に設けられた切替部９０〜９２は、送電ＥＣＵ６５（図１０参照）が受電装置の通信部１６０から受信した信号に応じて、動作モードＣおよび動作モードＰのうちのいずれかの動作状態を形成するように、送電ＥＣＵ６５によって制御される。
【０２４９】
［実験例］
図２７〜図３２を参照して、上述の各実施の形態に関して行なった実験例について説明する。当該実験例においては、図２７〜図３０にそれぞれ示すコイルユニットを用いた。
【０２５０】
図２７を参照して、コイルユニット３００Ａは、フェライト製のコア３０Ａおよびコイル３３１を備える。コイルユニット３００Ａは、いわゆるソレノイド型のコイルユニットである。コア３０Ａは、軸部３２８および外側磁極部３２３，３２４を含み、全体としてＨ型形状に形成される。軸部３２８は、コイル３３１の巻回軸Ａ３００が延びる方向に沿って延びる形状を有する。
【０２５１】
外側磁極部３２３は、巻回軸Ａ３００が延びる方向における軸部３２８の一方の端部に設けられる。外側磁極部３２３は、巻回軸Ａ３００が延びる方向および対向方向（図１における矢印Ｚ方向）の双方に対して直交する交差方向Ｂ３００に沿って延びる形状を有する。外側磁極部３２４は、巻回軸Ａ３００が延びる方向における軸部３２８の他方の端部に設けられる。外側磁極部３２４は、巻回軸Ａ３００が延びる方向および対向方向（図１における矢印Ｚ方向）の双方に対して直交する交差方向Ｂ３００に沿って延びる形状を有する。
【０２５２】
図２８を参照して、コイルユニット３００Ｂは、フェライト製のコア３０Ｂおよびコイル３３１，３３２を備える。コイルユニット３００Ｂは、いわゆるソレノイド型のコイルユニットである。コア３０Ｂは、軸部３２８および外側磁極部３２３，３２４を含む。軸部３２８は、コイル３３１，３３２の巻回軸Ａ３００が延びる方向に沿って延びる形状を有する。軸部３２８は、巻回部３２１、巻回部３２２、およびこれらの間に形成される中央磁極部３２５を有する。コイル３３１は巻回部３２１の周囲に配置される。コイル３３２は巻回部３２２の周囲に配置される。
【０２５３】
外側磁極部３２３は、巻回軸Ａ３００が延びる方向における軸部３２８の一方の端部に設けられる。外側磁極部３２３は、巻回軸Ａ３００が延びる方向および対向方向（図１における矢印Ｚ方向）の双方に対して直交する交差方向Ｂ３００に沿って延びる形状を有する。外側磁極部３２４は、巻回軸Ａ３００が延びる方向における軸部３２８の他方の端部に設けられる。外側磁極部３２４は、巻回軸Ａ３００が延びる方向および対向方向（図１における矢印Ｚ方向）の双方に対して直交する交差方向Ｂ３００に沿って延びる形状を有する。
【０２５４】
交差方向Ｂ３００における中央磁極部３２５の長さは、交差方向Ｂ３００における外側磁極部３２３の長さよりも短く、かつ、交差方向Ｂ３００における外側磁極部３２４の長さよりも短い。さらに、交差方向Ｂ３００における中央磁極部３２５の長さは、交差方向Ｂ３００における巻回部３２１の長さよりも長く、かつ、交差方向Ｂ３００における巻回部３２２の長さよりも長い。
【０２５５】
図２９を参照して、コイルユニット３００Ｃは、フェライト製のコア３０Ｃおよびコイル３３１を備える。コイルユニット３００Ｃは、いわゆる円型のコイルユニットである。コア３０Ｃは、板状に形成され、その外形は４つの角部が湾曲した長方形状を有する。コイル３３１は、コア３０Ｃの表面に配置される。
【０２５６】
図３０を参照して、コイルユニット３００Ｄは、フェライト製のコア３０Ｄおよびコイル３３１を備える。コイルユニット３００Ｄは、いわゆる円型のコイルユニットである。コア３０Ｄは、軸部３２８および外側磁極部３２３，３２４を含み、全体としてＨ型形状に形成される。
【０２５７】
外側磁極部３２３は、軸部３２８の一方の端部に設けられる。外側磁極部３２３は、軸部３２８が延びる方向および対向方向（図１における矢印Ｚ方向）の双方に対して直交する方向に沿って延びる形状を有する。外側磁極部３２４は、軸部３２８の他方の端部に設けられる。外側磁極部３２４は、軸部３２８が延びる方向および対向方向（図１における矢印Ｚ方向）の双方に対して直交する方向に沿って延びる形状を有する。
【０２５８】
図３１および図３２を参照して、図２７に示すコイルユニット３００Ａは、ここではＨ型（Ｌ）ともいう。図２８に示すコイルユニット３００Ｂは、ここではＨｃ型ともいう。図２９に示すコイルユニット３００Ｃは、ここではＣＬ型ともいう。図３０に示すコイルユニット３００Ｄは、ここではＣＬｈ型ともいう。
【０２５９】
図３１および図３２中のＬ１［μＨ］は、各コイルユニットが一次側（送電部）として用いられた場合の自己インダクタンスを示す値である。Ｌ２［μＨ］は、各コイルユニットが二次側（受電部）として用いられた場合の自己インダクタンスを示す値である。Ｍ［μＨ］は、各コイルユニット同士の間の相互インダクタンスを示す値である。κは、各コイルユニット同士の間の結合係数を示す値である。
【０２６０】
図３１を参照して、実験例１においては、送電部として、コイルユニット３００Ａを用いた。受電部としても、コイルユニット３００Ａを用いた。コイルユニット３００Ａ同士を対向させ、これらの間で電力伝送を行なった。実験例１においては、いわゆるアーチ型形状を有する磁束が形成され、この時の結合係数κは、０．２２６であった。
【０２６１】
実験例２においては、送電部として、コイルユニット３００Ｂを用いた。受電部としても、コイルユニット３００Ｂを用いた。コイルユニット３００Ｂ同士を対向させ、これらの間で電力伝送を行なった。実験例２においては、いわゆるアーチ型形状を有する磁束が形成され（図１９参照）、この時の結合係数κは、０．２１８であった。
【０２６２】
実験例３においては、送電部として、コイルユニット３００Ｃを用いた。受電部としても、コイルユニット３００Ｂを用いた。コイルユニット３００Ｃ同士を対向させ、これらの間で電力伝送を行なった。実験例３においては、いわゆるドーナツ型形状を有する磁束が形成され、この時の結合係数κは、０．１５４であった。
【０２６３】
実験例４においては、送電部として、コイルユニット３００Ｄを用いた。受電部としても、コイルユニット３００Ｄを用いた。コイルユニット３００Ｄ同士を対向させ、これらの間で電力伝送を行なった。実験例４においては、いわゆるドーナツ型形状を有する磁束が形成され、この時の結合係数κは、０．１４５であった。
【０２６４】
図３２を参照して、実験例５においては、送電部として、コイルユニット３００Ａを用いた。受電部としては、コイルユニット３００Ｂを用いた。コイルユニット３００Ａおよびコイルユニット３００Ｂ同士を対向させ、これらの間で電力伝送を行なった。実験例５においては、いわゆるアーチ型形状を有する磁束が形成され、この時の結合係数κは、０．２１６であった。送電部としてコイルユニット３００Ｂを用いて、受電部としてコイルユニット３００Ａを用いた場合においても、同様の結果が得られた。
【０２６５】
実験例１での結合係数κおよび実験例５での結合係数κを比較して、一次側および二次側のうちの一方にコイルユニット３００Ａを用いて、一次側および二次側のうちの他方にコイルユニット３００Ｂを用いた場合であっても、一次側および二次側の双方にコイルユニット３００Ａを用いる場合と略同等の結合係数κが得られることがわかる。
【０２６６】
実験例６においては、送電部として、コイルユニット３００Ｂを用いた。受電部としても、コイルユニット３００Ｂを用いた。コイルユニット３００Ｂ同士を対向させ、これらの間で電力伝送を行なった。実験例６においては、いわゆるドーナツ型形状を有する磁束が形成され（図１８参照）、この時の結合係数κは、０．０９９４であった。
【０２６７】
実験例２での結合係数κおよび実験例６での結合係数κを比較して、一次側および二次側の双方にコイルユニット３００Ｂを用いてアーチ型形状を有する磁束によって電力伝送を行なう場合（図１９参照）は、一次側および二次側の双方にコイルユニット３００Ｂを用いてドーナツ型形状を有する磁束によって電力伝送を行なう場合（図１９参照）に比べて高い結合係数κが得られることがわかる。
【０２６８】
実験例７においては、送電部として、コイルユニット３００Ｃを用いた。受電部としては、コイルユニット３００Ｂを用いた。コイルユニット３００Ｃおよびコイルユニット３００Ｂ同士を対向させ、これらの間で電力伝送を行なった。実験例７においては、いわゆるドーナツ型形状を有する磁束が形成され、この時の結合係数κは、０．１１３であった。送電部としてコイルユニット３００Ｂを用いて、受電部としてコイルユニット３００Ｃを用いた場合においても、同様の結果が得られた。
【０２６９】
実験例３での結合係数κおよび実験例７での結合係数κを比較して、一次側および二次側のうちの一方にコイルユニット３００Ｃを用いて、一次側および二次側のうちの他方にコイルユニット３００Ｂを用いた場合であっても、一次側および二次側の双方にコイルユニット３００Ｃを用いる場合と略同等の結合係数κが得られることがわかる。
【０２７０】
実験例８においては、送電部として、コイルユニット３００Ｄを用いた。受電部としては、コイルユニット３００Ｂを用いた。コイルユニット３００Ｄおよびコイルユニット３００Ｂ同士を対向させ、これらの間で電力伝送を行なった。実験例８においては、いわゆるドーナツ型形状を有する磁束が形成され、この時の結合係数κは、０．１１４であった。送電部としてコイルユニット３００Ｂを用いて、受電部としてコイルユニット３００Ｄを用いた場合においても、同様の結果が得られた。
【０２７１】
実験例４での結合係数κおよび実験例８での結合係数κを比較して、一次側および二次側のうちの一方にコイルユニット３００Ｄを用いて、一次側および二次側のうちの他方にコイルユニット３００Ｂを用いた場合であっても、一次側および二次側の双方にコイルユニット３００Ｄを用いる場合と略同等の結合係数κが得られることがわかる。
【０２７２】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【産業上の利用可能性】
【０２７３】
本発明は、受電装置、送電装置および電力伝送システムに適用することができる。
【符号の説明】
【０２７４】
１０  電動車両、１１  受電装置、１２  車両ＥＣＵ、１３  整流器、１４  コンバータ、１５  バッテリ、１６  パワーコントロールユニット、１７  モータユニット、１８Ｌ，１８Ｒ  前輪、１９Ｌ，１９Ｒ  後輪、２０，２０Ｚ，３０Ａ，３０Ｂ，３０Ｃ，３０Ｄ，４０，４０Ａ，４０Ｂ，４０Ｄ  コア、２１，２２，４１，４２，３２１，３２２  巻回部、２１Ａ，２１Ｂ，２１Ｃ，２２Ａ，２２Ｂ，２２Ｃ  フェライト、２１Ｓ，２１Ｔ，２２Ｓ，２２Ｔ，２３Ｓ，２３Ｔ，２４Ｓ，２４Ｔ，２５Ｓ，２５Ｔ，４１Ｓ，４１Ｔ，４２Ｓ，４２Ｔ，４３Ｓ，４３Ｔ，４４Ｓ，４４Ｔ，４５Ｓ，４５Ｔ  外縁、２３，２４，４３，４４，３２３，３２４  外側磁極部、２５，４５，３２５  中央磁極部、２６，２７，４６，４７  支持部材、２６Ａ，２６Ｂ，２７Ａ，２７Ｂ  板状部、２６ＡＨ，２６ＢＨ，２７ＡＨ，２７ＢＨ  開口部、２６Ｃ，２７Ｃ  筒状部、２８，４８，８８，３２８  軸部、２９  シールド、３１，３２，５１，５２，３３１，３３２  コイル、３１Ｓ，３１Ｔ，３２Ｓ，３２Ｔ，５１Ｓ，５１Ｔ，５２Ｓ，５２Ｔ  部分、３３，５３，５４  キャパシタ、６０，６０Ｂ  送電装置、６１，６１Ｂ  外部給電装置、６２  駐車スペース、６２Ｓ  輪止、６３  交流電源、６４  高周波電力ドライバ、６５  送電ＥＣＵ、６６  ケース、６７  サイドメンバ、６９  フロアパネル、７０  車両本体、７１  左側面、７６  底面、８０  駆動室、８１  乗員収容室、８２  荷物室、８２Ｌ  乗降用開口部、８３Ｌ  ドア、８４Ｌ  フロントフェンダ、８５Ｌ  リヤフェンダ、８６  フロントバンパ、８７  リヤバンパ、９０，９１，９２  切替部、１１５  システムメインリレー、１４０  動力伝達ギヤ、１４２，２４２  表示部、１６０，２３０  通信部、１７０  充電リレー、１７１  電流センサ、１７２  電圧センサ、１７３  負荷抵抗、１７４，ＳＷＣ１，ＳＷＣ２，ＳＷＣ３，ＳＷＣ４，ＳＷＣ５，ＳＷＰ１，ＳＷＰ２，ＳＷＰ３  リレー、２００  受電部、２１０  充電スタンド、２４６  料金受領部、３００Ａ，３００Ｂ，３００Ｃ，３００Ｄ  コイルユニット、４００，４００Ａ，４００Ｂ，４００Ｃ，４００Ｄ  送電部、４０１，４０２，４１１，４２１，４２２，４３１，４４１  電磁界、１０００，１０００Ａ，１０００Ｂ  電力伝送システム、Ａ２００，Ａ３００，Ａ４００  巻回軸、Ｂ２００，Ｂ３００，Ｂ４００  交差方向、Ｃ２００，Ｃ４００  反対方向、ＩＢ  電流、ＩＣ，ＶＣ  検出値、ＩＮＦＯ  バッテリ情報、ＭＯＤ，ＰＷＣ，ＰＷＩ，ＳＥ１，ＳＥ２，ＳＥ２，ＳＥ３，ＳＥ３  制御信号、ＳＴＰ，ＳＴＲＴ，ＳＴＲＴ，ＳＴＰ  信号、ＳＷ６，ＳＷ７  スイッチ、ＴＲＧ  充電開始信号、ＶＢ，ＶＣ  電圧、Ｗ２１Ｓ，Ｗ２１Ｔ，Ｗ２２Ｓ，Ｗ２２Ｔ，Ｗ２３Ｓ，Ｗ２３Ｔ，Ｗ２４Ｓ，Ｗ２４Ｔ，Ｗ２５Ｓ，Ｗ２５Ｔ，Ｗ３１Ｓ，Ｗ３１Ｔ，Ｗ３２Ｓ，Ｗ３２Ｔ，Ｗ４１Ｓ，Ｗ４１Ｔ，Ｗ４２Ｓ，Ｗ４２Ｔ，Ｗ４３Ｓ，Ｗ４３Ｔ，Ｗ４４Ｓ，Ｗ４４Ｔ，Ｗ４５Ｓ，Ｗ４５Ｔ，Ｗ５１Ｓ，Ｗ５１Ｔ，Ｗ５２Ｓ，Ｗ５２Ｔ  寸法、Ｗ２１，Ｗ２２，Ｗ２３，Ｗ２３Ｚ，Ｗ２４，Ｗ２４Ｚ，Ｗ２５，Ｗ２５Ｚ，Ｗ４１，Ｗ４２，Ｗ４３，Ｗ４４，Ｗ４５  長さ。
【図１】
2014131417.tif 000003
【図２】
2014131417.tif 000004
【図３】
2014131417.tif 000005
【図４】
2014131417.tif 000006
【図５】
2014131417.tif 000007
【図６】
2014131417.tif 000008
【図７】
2014131417.tif 000009
【図８】
2014131417.tif 000010
【図９】
2014131417.tif 000011
【図１０】
2014131417.tif 000012
【図１１】
2014131417.tif 000013
【図１２】
2014131417.tif 000014
【図１３】
2014131417.tif 000015
【図１４】
2014131417.tif 000016
【図１５】
2014131417.tif 000017
【図１６】
2014131417.tif 000018
【図１７】
2014131417.tif 000019
【図１８】
2014131417.tif 000020
【図１９】
2014131417.tif 000021
【図２０】
2014131417.tif 000022
【図２１】
2014131417.tif 000023
【図２２】
2014131417.tif 000024
【図２３】
2014131417.tif 000025
【図２４】
2014131417.tif 000026
【図２５】
2014131417.tif 000027
【図２６】
2014131417.tif 000028
【図２７】
2014131417.tif 000029
【図２８】
2014131417.tif 000030
【図２９】
2014131417.tif 000031
【図３０】
2014131417.tif 000032
【図３１】
2014131417.tif 000033
【図３２】
2014131417.tif 000034